(57)【特許請求の範囲】
【請求項１】
磁気回路を構成する磁石、外ヨーク及び内ヨークが、前記外ヨークと前記内ヨークとの間に前記磁石から発生する磁束が横切る磁気ギャップが形成されるように合体され、前記磁気ギャップ内に振動板に連結されるボイスコイルユニットが配置されたスピーカ装置であって、
前記磁石に磁気的に結合する前記内ヨークと前記外ヨークとを、前記磁気ギャップが形成されるように位置決めする位置決め部材を有し、
前記ボイスコイルユニットは、
可撓性基材の表面にボイスコイル配線パターンの形成されたボイスコイル部と、
前記可撓性基材において前記ボイルコイル部から続いて形成され、該ボイスコイル部を弾性支持する支持部とを有し、
前記ボイスコイル部が前記磁気ギャップ内に配置されるように前記支持部が前記位置決め部材に固定されたスピーカ装置。
【請求項２】
前記位置決め部材は、
前記内ヨークを位置決めする内ヨーク位置決め部と、
該内ヨーク位置決め部によって位置決めされた前記内ヨークと前記外ヨークとの間隔を前記磁気ギャップの間隔に保持するスペーサ部とを有する請求項１記載のスピーカ装置。
【請求項３】
前記位置決め部材とともに、該位置決め部材にて位置決めされる前記内ヨーク及び前記外ヨークと、前記位置決め部材に前記ボイスコイル部を弾性支持する支持部が固定されたボイスコイルユニットとを収容するフレーム部材を有する請求項１記載のスピーカ装置。
【請求項４】
磁気回路を構成する磁石、外ヨーク及び内ヨークが、前記外ヨークと前記内ヨークとの間に前記磁石から発生する磁束が横切る磁気ギャップが形成されるように合体され、前記磁気ギャップ内に振動板に連結されたボイスコイルユニットが配置されたスピーカ装置であって、
矩形板状の第１外ヨーク及び第２外ヨークと、
矩形板状の第１内ヨーク及び第２内ヨークと、
前記磁石を挟み込んだ前記第１内ヨーク及び前記第２内ヨークと、前記第１外ヨーク及び前記第２外ヨークとを、前記第１外ヨークの板面と前記第１内ヨーク及び前記第２内ヨークのそれぞれの一方の側端面との間、前記第２外ヨークの板面と前記第１内ヨーク及び前記第２内ヨークのそれぞれの他方の側端面との間のそれぞれに磁気ギャップが形成されるように位置決めする位置決め部材を有し、
前記ボイスコイルユニットは、
可撓性基材の表面に第１ボイスコイル配線パターンの形成された第１ボイスコイル部と、
可撓性基材の表面に第２ボイスコイル配線パターンの形成された第２ボイスコイル部と、
前記可撓性基材において前記第１ボイスコイル部から続いて形成され、該第１ボイスコイル部を弾性支持する第１支持部と、
前記可撓性基材において前記第２ボイスコイル部から続いて形成され、該第２ボイスコイル部を弾性支持する第２支持部とを有し、
前記第１ボイスコイル部が前記第１内ヨーク及び前記第２内ヨークのぞれぞれと前記第１外ヨークとの間に形成された磁気ギャップ内に配置されるように前記第１支持部が前記位置決め部材に固定され、
前記第２ボイスコイル部が前記第１内ヨーク及び前記第２内ヨークのそれぞれと前記第２外ヨークとの間に形成された磁気ギャップ内に配置されるように前記第２支持部が前記位置決め部材に固定されたスピーカ装置。
【請求項５】
前記位置決め部材は、
前記第１内ヨーク及び前記第２内ヨークを、前記磁石を挟み込んだ状態で、位置決めする内ヨーク位置決め部と、
該内ヨーク位置決め部によって位置決めされた前記第１内ヨーク及び前記第２内ヨークのそれぞれと前記第１外ヨークとの間隔を前記磁気ギャップの間隔に保持する第１スペーサ部と、
前記内ヨーク位置決め部によって位置決めされた前記第１内ヨーク及び前記第２内ヨークのそれぞれと前記第２外ヨークとの間隔を前記磁気ギャップの間隔に保持する第２スペーサ部とを有する請求項４記載のスピーカ装置。
【請求項６】
磁気回路を構成する磁石、外ヨーク及び内ヨークが、前記外ヨークと前記内ヨークとの間に前記磁石から発生する磁束が横切る磁気ギャップが形成されるように合体され、前記磁気ギャップ内に振動板に連結されたボイスコイルユニットが配置されたスピーカ装置であって、
矩形板状の第１外ヨーク及び第２外ヨークと、
矩形板状の第１内ヨーク及び第２内ヨークと、
前記磁石を挟み込んだ前記第１内ヨーク及び前記第２内ヨークと、前記第１外ヨーク及び前記第２外ヨークとを、前記第１外ヨークの板面と前記第１内ヨーク及び前記第２内ヨークのそれぞれの一方の側端面との間、前記第２外ヨークの板面と前記第１内ヨーク及び前記第２内ヨークのそれぞれの他方の側端面との間のそれぞれに磁気ギャップが形成されるように位置決めする位置決め部材を有し、
前記位置決め部材として、前記磁石を挟み込んだ前記第１内ヨーク及び前記第２内ヨークそれぞれの一方端部と前記第１外ヨーク及び前記第２外ヨークそれぞれの一方端とを位置決めする第１位置決め部材と、
前記第１内ヨーク及び前記第２内ヨークそれぞれの他端部と前記第１外ヨーク及び前記第２外ヨークそれぞれの他端部とを位置決めする第２位置決め部材とを有し、
前記ボイスコイルユニットは、
可撓性基材の表面に第１ボイスコイル配線パターンの形成された第１ボイスコイル部と、
可撓性基材の表面に第２ボイスコイル配線パターンの形成された第２ボイスコイル部と、
前記可撓性基材において前記第１ボイスコイル部の両端部から続いて形成され、前記第１ボイスコイル部を弾性支持する第１第１支持部及び第２第１支持部と、
前記可撓性基材において前記第２ボイスコイル部の両端部から続いて形成され、前記第２ボイスコイル部を弾性支持する第１第２支持部及第２第２支持部とを有し、
前記第１ボイスコイル部が前記第１内ヨーク及び前記第２内ヨークのそれぞれと前記第１外ヨークとの間に形成された磁気ギャップ内に配置されるように前記第１第１支持部及び第２第１支持部が前記第１位置決め部材及び前記第２位置決め部材に固定され、
前記第２ボイスコイル部が前記第１内ヨーク及び前記第２内ヨークのそれぞれと前記第２外ヨークとの間に形成された磁気ギャップ内に配置されるように前記第１第２支持部及び前記第２第２支持部が前記第１位置決め部材及び前記第２位置決め部材に固定されたスピーカ装置。
【請求項７】
前記第１ボイスコイル部の一端部を弾性支持する前記第１第１支持部と、前記第２ボイスコイル部の一端部を弾性支持する前記第１第２支持部とは連続的に形成され、前記第１第１支持部と前記第１第２支持部との境界部が前記第１位置決め部材に固定され、
前記第１ボイスコイルの他端部を弾性支持する前記第２第１支持部と、前記第２ボイスコイル部の他端部を弾性支持する前記第２第２支持部とは連続的に形成され、前記第２第１支持部と前記第２第２支持部との境界部が前記第２位置決め部材に固定された請求項６記載のスピーカ装置。
【請求項８】
前記第１位置決め部材及び前記第２位置決め部材とともに、該第１位置決め部材及び該第２位置決め部材によって位置決めされ、前記磁石を挟む前記第１内ヨーク及び前記第２内ヨークと、前記第１位置決め部材及び前記第２位置決め部材によって位置決めされる前記第１外ヨーク及び前記第２外ヨークと、前記第１位置決め部材及び前記第２位置決め部材に前記第１ボイスコイル部及び前記第２ボイスコイル部を弾性支持する前記第１第１支持部、前記第２第１支持部、前記第１第２支持部及び前記第２第２支持部が固定されたボイスコイルユニットとを収容するフレーム部材を有する請求項６または７記載のスピーカ装置。
【請求項９】
前記フレーム部材は、前記第１外ヨークと前記第１内ヨーク及び前記第２内ヨークのそれぞれとの間に形成される磁気ギャップに沿って前記第１位置決め部材と前記第２位置決め部材との間で延びる第１外縁部と、前記第２外ヨークと前記第１内ヨーク及び前記第２内ヨークのそれぞれとの間に形成される磁気ギャップに沿って前記第１位置決め部材と前記第２位置決め部材との間で延びる第２外縁部とを有し、
当該スピーカ装置は、更に、前記フレーム部材の前記第１外縁部に固定されるエッジ部と前記フレーム部材の前記第２外縁部に固定されるエッジ部との間に形成されるダンパー部材を有し、
前記第１ボイスコイル部及び前記振動板の一端部が、前記ダンパー部材の前記フレーム部材の前記第１外縁部側の所定部位に固定され、
前記第２ボイスコイル部及び前記振動板の他端部が、前記ダンバー部材の前記フレーム部材の前記第２外縁部側の所定部位に固定された請求項８記載のスピーカ装置。
【請求項１０】
前記両エッジ部は、前記フレーム部材の前記第１外縁部及び前記第２外縁部とスライド嵌合により固定された請求項９記載のスピーカ装置。
【請求項１１】
前記振動板の一端部は、前記ダンパー部材の前記フレーム部材の前記第１外縁部側の前記所定部位にスライド嵌合により固定され、
前記振動板の他端部は、前記ダンパー部材の前記フレーム部材の前記第２外縁部側の前記所定部位にスライド嵌合により固定された請求項９または１０記載のスピーカ装置。
【請求項１２】
磁気回路を構成する磁石、外ヨーク及び内ヨークが、前記外ヨークと前記内ヨークとの間に前記磁石からの磁束が横切る磁気ギャップが形成されるように合体され、前記磁気ギャップ内に振動板に連結されたボイスコイルユニットが配置されたスピーカ装置であって、
前記外ヨークは、対向配置される第１外ヨーク部と第２外ヨーク部と、該第１外ヨーク部及び前記第２外ヨーク部の一端部を連結する連結部とを有して、断面略凹字状に形成され、
前記内ヨークと、該内ヨークと前記連結部にて前記磁石を挟み込む前記外ヨークとを、前記内ヨークの一方の側端面と前記第１外ヨーク部との間、及び前記内ヨークの他方の側端面と前記第２外ヨーク部との間のそれぞれに磁気ギャップが形成されるように、当該磁気ギャップの間隔をもって位置決めする位置決め部材を有し、
前記ボイスコイルユニットは、
可撓性基材の表面に第１ボイスコイル配線パターンの形成された第１ボイスコイル部と、
可撓性基材の表面に第２ボイスコイル配線パターンの形成された第２ボイスコイル部と、
前記可撓性基材において前記第１ボイスコイル部から続いて形成され、前記第１ボイスコイル部を弾性支持する第１支持部と、
前記可撓性基材において前記第２ボイスコイル部から続いて形成され、前記第１ボイスコイル部を弾性支持する第２支持部とを有し、
前記第１ボイスコイル部が前記内ヨークと前記外ヨークの前記第１外ヨーク部との間に形成された磁気ギャップ内に配置されるように前記第１支持部が前記位置決め部材に固定され、
前記第２ボイスコイル部が前記内ヨークと前記外ヨークの前記第２外ヨーク部との間に形成された磁気ギャップ内に配置されるように前記第２支持部が前記位置決め部材に固定されたスピーカ装置。
【請求項１３】
前記位置決め部材は、
前記内ヨークを位置決めする内ヨーク位置決め部と、
該内ヨーク位置決め部によって位置決めされた前記内ヨークの両側端面と前記外ヨークの前記第１外ヨーク部及び前記第２外ヨーク部との間隔を前記磁気ギャップの間隔に保持するスペーサ部とを有する請求項１２記載のスピーカ装置。
【請求項１４】
磁気回路を構成する磁石、外ヨーク及び内ヨークが、前記外ヨークと前記内ヨークとの間に前記磁石からの磁束が横切る磁気ギャップが形成されるように合体され、前記磁気ギャップ内に振動板に連結されたボイスコイルユニットが配置されたスピーカ装置であって、
前記外ヨークは、対向配置される第１外ヨーク部と第２外ヨーク部と、該第１外ヨーク部及び前記第２外ヨーク部の一端部を連結する連結部とを有して、断面略凹字状に形成され、
前記内ヨークと、該内ヨークと前記連結部にて前記磁石を挟み込む前記外ヨークとを、前記内ヨークの一方の側端面と前記第１外ヨーク部との間、及び前記内ヨークの他方の側端面と前記第２外ヨーク部との間のそれぞれに磁気ギャップが形成されるように、当該磁気ギャップの間隔をもって位置決めする位置決め部材を有し、
前記位置決め部材として、前記内ヨークと前記外ヨークの前記第１外ヨーク部及び前記第２外ヨーク部それぞれとの間に磁気ギャップが形成されるように、前記内ヨークの一方端部と前記外ヨークの一方端部とに係合する第１位置決め部材と、
前記内ヨークと前記外ヨークの前記第１外ヨーク部及び前記第２外ヨーク部それぞれとの間に磁気ギャップが形成されるように、前記内ヨークの他方端部と前記外ヨークの他方端部とに係合する第２位置決め部材とを有し、
前記ボイスコイルユニットは、
可撓性基材の表面に第１ボイスコイル配線パターンの形成された第１ボイスコイル部と、
可撓性基材の表面に第２ボイスコイル配線パターンの形成された第２ボイスコイル部と、
前記可撓性基材において前記第１ボイスコイル部の両端部から続いて形成され、前記第１ボイスコイル部を弾性支持する第１第１支持部及び第２第１支持部と、
前記可撓性基材において前記第２ボイスコイル部の両端部から続いて形成され、前記第２ボイスコイル部を弾性支持する第１第２支持部及び第２第２支持部とを有し、
前記第１ボイスコイル部が前記内ヨークと前記外ヨークの前記第１外ヨーク部との間に形成された磁気ギャップ内に配置されるように、前記第１第１支持部及び前記第２第１支持部が前記第１位置決め部材及び前記第２位置決め部材に固定され、
前記第２ボイスコイル部が前記内ヨークと前記外ヨークの前記第２外ヨーク部との間に形成される磁気ギャップ内に配置されるように、前記第１第２支持部及び前記第２第２支持部が前記第１位置決め部材及び前記第２位置決め部材に固定されたスピーカ装置。
【請求項１５】
前記第１ボイスコイル部の一端部を弾性支持する前記第１第１支持部と、前記第２ボイスコイル部の一端部を弾性支持する前記第１第２支持部とは連続的に形成され、前記第１第１支持部と前記第１第２支持部との境界部が前記第１位置決め部材に固定され、
前記第１ボイスコイル部の他端部を弾性支持する前記第２第１支持部と、前記第２ボイスコイル部の他端部を弾性支持する前記第２第２支持部とは連続的に形成され、前記第２第１支持部と前記第２第２支持部との境界部が前記第２位置決め部材に固定された請求項１４記載のスピーカ装置。
【請求項１６】
前記外ヨークの前記第１外ヨーク部の前記連結部がつながる端部と逆側の端部に固定された第１フレーム部材と、
前記外ヨークの前記第２外ヨーク部の前記連結部につながる端部と逆側の端部に固定された第２フレーム部材と、
前記第１フレーム部材に固定されるエッジ部と前記第２フレーム部材に固定されるエッジ部との間に形成されるダンパー部材を有し、
前記第１ボイスコイル部及び前記振動板の一端部が、前記ダンパー部材の前記第１フレーム部材側の所定部位に固定され、
前記第２ボイスコイル部及び前記振動板の他端部が、前記ダンパー部材の前記第２フレーム部材側の所定部位に固定された請求項１５記載のスピーカ装置。
【請求項１７】
前記両エッジ部は、前記第１フレーム部材及び前記第２フレーム部材とスライド嵌合により固定された請求項１６記載にスピーカ装置。
【請求項１８】
前記振動板の一端部は、前記ダンパー部材の前記第１フレーム部材側の前記所定部位にスライド嵌合により固定され、
前記振動板の他端部は、前記ダンパー部材の前記第２フレーム部材側の前記所定部位にスライド嵌合により固定された請求項１６または１７記載のスピーカ装置。
【発明の詳細な説明】
【技術分野】
【０００１】
本発明は、磁気回路にて発生する磁界とボイスコイルを流れる音声信号電流との相互作用によってボイスコイルに連結される振動板を振動させて音を出力するスピーカ装置に関する。
【背景技術】
【０００２】
従来、角型で細長構造のスピーカ装置が提案されている（特許文献１参照）。このスピーカ装置は、中央部に横長のポールを有する矩形状のヨーク上に前記ポールを挟んで一対の矩形状のマグネットを配置するとともにこのマグネット上に枠状のプレートを固定した磁気回路と、前記ポールと枠状プレートの内縁との間に形成された磁気ギャップ内に配置され、振動板に連結される矩形状のボイスコイルとが、平面形状が矩形状となるフレーム内に収容された構造となっている。
【０００３】
このようなスピーカ装置では、磁気回路におけるマグネットから発生して前記ヨーク、ポール及びプレート（ヨークとして機能）を通って磁気ギャップを横切る磁束と、前記磁気ギャップ内に配置されるボイスコイルを流れる音声信号電流との相互作用によってボイスコイルが振動する。そして、このボイスコイルに連結された振動板が振動することにより前記音声信号電流に応じた音が出力される。
【０００４】
前述したヨーク、ポール、マグネット及び枠状プレート等の前記磁気回路を構成する部品は、一般に、磁気ギャップが形成されるような相対的な位置関係を維持させつつ、接着剤にて強固に接着されている（特許文献２参照）。
【先行技術文献】
【特許文献】
【０００５】
【特許文献１】特開２００３−３２７８６号公報
【特許文献２】特公平４−３４８７５号公報
【発明の概要】
【発明が解決しようとする課題】
【０００６】
ところで、磁気ギャップは、磁気抵抗を低減させてより効率的にボイスコイルを振動させるという観点からより狭いことが好ましい。しかしながら、前述したように、磁気回路を構成する部品をその狭い磁気ギャップが形成されるような相対的な位置関係を精度良く維持させつつ接着剤にて接着するには、その作業性が悪い。
【０００７】
また、磁気回路を構成する部品を接着剤にて強固に接着することから、磁気回路を分解して各部品を個別にリサイクルすることが難しい。
【０００８】
本発明は、このような事情に鑑みてなされたもので、磁気回路が、作業性良く組み立てられるとともに各部品の個別的なリサイクルが比較的容易な構造となるスピーカ装置を提供するものである。
【課題を解決するための手段】
【０００９】
本発明に係るスピーカ装置は、磁気回路を構成する磁石、外ヨーク及び内ヨークが、前記外ヨークと前記内ヨークとの間に前記磁石から発生する磁束が横切る磁気ギャップが形成されるように合体され、前記磁気ギャップ内に振動板に連結されるボイスコイルユニットが配置されたスピーカ装置であって、前記磁石に磁気的に結合する前記内ヨークと前記外ヨークとを、前記磁気ギャップが形成されるように位置決めする位置決め部材を有し、前記ボイスコイルユニットは、可撓性基材の表面にボイスコイル配線パターンの形成されたボイスコイル部と、前記可撓性基材において前記ボイルコイル部から続いて形成され、該ボイスコイル部を弾性支持する支持部とを有し、前記ボイスコイル部が前記磁気ギャップ内に配置されるように前記支持部が前記位置決め部材に固定された構成となる。
【００１０】
このような構成により、磁気回路は、位置決め部材によって内ヨークと外ヨークとが磁気ギャップが形成されるように位置決めされた状態で、磁石、前記外ヨーク及び前記内ヨークが合体された構造となる。そして、位置決め部材に固定された支持部にて弾性支持されるボイスコイル部が、当該位置決め部材によって位置決めされた内ヨークと外ヨークとの間に形成される磁気ギャップ内に配置されるようになるので、磁石に磁気的に結合する内ヨーク及び外ヨークとボイスコイルユニットとが位置決め部材に一体化された構造のスピーカ装置を実現することができる。
【００１１】
本発明に係るスピーカ装置において、前記位置決め部材は、前記内ヨークを位置決めする内ヨーク位置決め部と、該内ヨーク位置決め部によって位置決めされた前記内ヨークと前記外ヨークとの間隔を前記磁気ギャップの間隔に保持するスペーサ部とを有する構成とすることができる。
【００１２】
このような構成により、位置決め部材における内ヨーク位置決め部に位置決めされた内ヨークと外ヨークとの間にスペーサ部によって決まる間隔の磁気ギャップを容易に形成することができる。
【００１５】
更に、本発明に係るスピーカ装置において、前記位置決め部材とともに、該位置決め部材にて位置決めされる前記内ヨーク及び前記外ヨークと、前記位置決め部材に前記ボイスコイル部を弾性支持する支持部が固定されたボイスコイルユニットとを収容するフレーム部材を有する構成とすることができる。
【００１６】
このような構成により、磁石に磁気的に結合される内ヨーク及び外ヨークとボイスコイルユニットとが位置決め部材に一体化された状態でフレーム部材に収容されるようになる。
【００１７】
本発明に係るスピーカ装置は、磁気回路を構成する磁石、外ヨーク及び内ヨークが、前記外ヨークと前記内ヨークとの間に前記磁石から発生する磁束が横切る磁気ギャップが形成されるように合体され、前記磁気ギャップ内に振動板に連結されたボイスコイルユニットが配置されたスピーカ装置であって、矩形板状の第１外ヨーク及び第２外ヨークと、矩形板状の第１内ヨーク及び第２内ヨークと、前記磁石を挟み込んだ前記第１内ヨーク及び前記第２内ヨークと、前記第１外ヨーク及び前記第２外ヨークとを、前記第１外ヨークの板面と前記第１内ヨーク及び前記第２内ヨークのそれぞれの一方の側端面との間、前記第２外ヨークの板面と前記第１内ヨーク及び前記第２内ヨークのそれぞれの他方の側端面との間のそれぞれに磁気ギャップが形成されるように位置決めする位置決め部材を有し、前記ボイスコイルユニットは、可撓性基材の表面に第１ボイスコイル配線パターンの形成された第１ボイスコイル部と、可撓性基材の表面に第２ボイスコイル配線パターンの形成された第２ボイスコイル部と、前記可撓性基材において前記第１ボイスコイル部から続いて形成され、該第１ボイスコイル部を弾性支持する第１支持部と、前記可撓性基材において前記第２ボイスコイル部から続いて形成され、該第２ボイスコイル部を弾性支持する第２支持部とを有し、前記第１ボイスコイル部が前記第１内ヨーク及び前記第２内ヨークのぞれぞれと前記第１外ヨークとの間に形成された磁気ギャップ内に配置されるように前記第１支持部が前記位置決め部材に固定され、前記第２ボイスコイル部が前記第１内ヨーク及び前記第２内ヨークのそれぞれと前記第２外ヨークとの間に形成された磁気ギャップ内に配置されるように前記第２支持部が前記位置決め部材に固定された構成となる。
【００１８】
このような構成により、磁気回路は、磁石を挟み込む第１内ヨーク及び第２内ヨークと第１外ヨーク及び第２外ヨークとが磁気ギャップが形成されるように位置決めされた状態で、前記磁石と、前記第１内ヨーク及び第２内ヨークと、第１外ヨーク及び第２外ヨークとが合体された構造となる。そして、位置決め部材に固定された第１支持部にて弾性支持される第１ボイスコイル部が当該位置決め部材によって位置決めされた第１内ヨーク及び第２内ヨークのそれぞれと第１外ヨークとの間に形成される磁気ギャップ内に配置されるとともに、位置決め部材に固定された第２支持部にて弾性支持される第２ボイスコイル部が当該位置決め部材によって位置決めされた第１内ヨーク及び第２内ヨークのそれぞれと第２外ヨークとの間に形成される磁気ギャップ内に配置されるようになるので、磁石を挟み込んだ第１内ヨーク及び第２内ヨークと、第１外ヨーク及び第２外ヨークと、第１ボイスコイル部及び第２ボイスコイル部を有するボイスコイルユニットとが位置決め部材に一体化された構造のスピーカ装置を実現することができる。
【００１９】
本発明係るスピーカ装置において、前記位置決め部材は、前記第１内ヨーク及び前記第２内ヨークを、前記磁石を挟み込んだ状態で、位置決めする内ヨーク位置決め部と、該内ヨーク位置決め部によって位置決めされた前記第１内ヨーク及び前記第２内ヨークのそれぞれと前記第１外ヨークとの間隔を前記磁気ギャップの間隔に保持する第１スペーサ部と、前記内ヨーク位置決め部によって位置決めされた前記第１内ヨーク及び前記第２内ヨークのそれぞれと前記第２外ヨークとの間隔を前記磁気ギャップの間隔に保持する第２スペーサ部とを有する構成とすることができる。
【００２０】
このような構成により、位置決め部材における内ヨーク位置決め部に位置決めされた第１内ヨーク及び第２内ヨークのそれぞれと第１外ヨークとの間に第１スペーサ部によって決まる間隔の磁気ギャプと、第１内ヨーク及び第２内ヨークのそれぞれと第２外ヨークとの間に第２スペーサ部によって決まる間隔の磁気ギャップとを容易に形成することができる。
【００２５】
更に、本発明に係るスピーカ装置は、磁気回路を構成する磁石、外ヨーク及び内ヨークが、前記外ヨークと前記内ヨークとの間に前記磁石から発生する磁束が横切る磁気ギャップが形成されるように合体され、前記磁気ギャップ内に振動板に連結されたボイスコイルユニットが配置されたスピーカ装置であって、矩形板状の第１外ヨーク及び第２外ヨークと、矩形板状の第１内ヨーク及び第２内ヨークと、前記磁石を挟み込んだ前記第１内ヨーク及び前記第２内ヨークと、前記第１外ヨーク及び前記第２外ヨークとを、前記第１外ヨークの板面と前記第１内ヨーク及び前記第２内ヨークのそれぞれの一方の側端面との間、前記第２外ヨークの板面と前記第１内ヨーク及び前記第２内ヨークのそれぞれの他方の側端面との間のそれぞれに磁気ギャップが形成されるように位置決めする位置決め部材を有し、前記位置決め部材として、前記磁石を挟み込んだ前記第１内ヨーク及び前記第２内ヨークそれぞれの一方端部と前記第１外ヨーク及び前記第２外ヨークそれぞれの一方端とを位置決めする第１位置決め部材と、前記第１内ヨーク及び前記第２内ヨークそれぞれの他端部と前記第１外ヨーク及び前記第２外ヨークそれぞれの他端部とを位置決めする第２位置決め部材とを有し、前記ボイスコイルユニットは、可撓性基材の表面に第１ボイスコイル配線パターンの形成された第１ボイスコイル部と、可撓性基材の表面に第２ボイスコイル配線パターンの形成された第２ボイスコイル部と、前記可撓性基材において前記第１ボイスコイル部の両端部から続いて形成され、前記第１ボイスコイル部を弾性支持する第１第１支持部及び第２第１支持部と、前記可撓性基材において前記第２ボイスコイル部の両端部から続いて形成され、前記第２ボイスコイル部を弾性支持する第１第２支持部及第２第２支持部とを有し、前記第１ボイスコイル部が前記第１内ヨーク及び前記第２内ヨークのそれぞれと前記第１外ヨークとの間に形成された磁気ギャップ内に配置されるように前記第１第１支持部及び第２第１支持部が前記第１位置決め部材及び前記第２位置決め部材に固定され、前記第２ボイスコイル部が前記第１内ヨーク及び前記第２内ヨークのそれぞれと前記第２外ヨークとの間に形成された磁気ギャップ内に配置されるように前記第１第２支持部及び前記第２第２支持部が前記第１位置決め部材及び前記第２位置決め部材に固定された構成となる。
【００２６】
このような構成により、磁気回路は、磁石を挟み込む第１内ヨーク及び第２内ヨークと第１外ヨーク及び第２外ヨークとが磁気ギャップが形成されるように位置決めされた状態で、前記磁石と、前記第１内ヨーク及び第２内ヨークと、第１外ヨーク及び第２外ヨークとが合体された構造となる。そして、第１位置決め部材と第２位置決め部材とが、第１内ヨーク及び第２内ヨークと第１外ヨーク及び第２外ヨークとをそれらの両端部で、第１内ヨーク及び第２内ヨークのそれぞれと第１外ヨークとの間、及び第１内ヨーク及び第２内ヨークのそれぞれと第２外ヨークとの間のそれぞれに磁気ギャップが形成されるように、位置決めするようになり、更に、第１位置決め部材及び第２位置決め部材に固定された第１第１支持部及び第２第１支持部にて両端部が弾性支持される第１ボイスコイル部が当該第１位置決め部材及び第２位置決め部材によって位置決めされた第１内ヨーク及び第２内ヨークのそれぞれと第１外ヨークとの間に形成される磁気ギャップ内に配置されるとともに、第１位置決め部材及び第２位置決め部材に固定された第１第２支持部及び第２第２支持部にて両端部が弾性支持される第２ボイスコイル部が当該第１位置決め部材及び第２位置決め部材によって位置決めされた第１内ヨーク及び第２内ヨークのそれぞれと第２外ヨークとの間に形成される磁気ギャップ内に配置されるようになるので、磁石を挟み込んだ第１内ヨーク及び第２内ヨークと、第１外ヨーク及び第２外ヨークと、第１ボイスコイル部及び第２ボイスコイル部を有するボイスコイルユニットとが第１位置決め部材及び第２位置決め部材に一体化された構造のスピーカ装置を実現することができる。
【００２７】
また、本発明に係るスピーカ装置において、前記第１ボイスコイル部の一端部を弾性支持する前記第１第１支持部と、前記第２ボイスコイル部の一端部を弾性支持する前記第１第２支持部とは連続的に形成され、前記第１第１支持部と前記第１第２支持部との境界部が前記第１位置決め部材に固定され、前記第１ボイスコイルの他端部を弾性支持する前記第２第１支持部と、前記第２ボイスコイル部の他端部を弾性支持する前記第２第２支持部とは連続的に形成され、前記第２第１支持部と前記第２第２支持部との境界部が前記第２位置決め部材に固定された構成とすることができる。
【００２８】
このような構成により、連続的に形成される第１ボイスコイル部の一端部を弾性支持する第１第１支持部と第２ボイスコイル部の一端部を弾性支持する第１第２支持部とがそれらの境界部にて共通的に第１位置決め部材に固定され、連続的に形成される第１ボイスコイル部の他端部を弾性支持する第２第１支持部と第２ボイスコイル部の他端部を弾性支持する第２第２支持部とがそれらの境界部にて共通的に第２位置決め部材に固定されるようになるので、第１ボイスコイル部及び第２ボイスコイル部を備えたボイスコイルユニットを前記第１位置決め部及び第２位置決め部により簡易な構造にて固定することができるようになる。
【００２９】
また、本発明に係るスピーカ装置において、前記第１位置決め部材及び前記第２位置決め部材ともに、該第１位置決め部材及び該第２位置決め部材によって位置決めされ、前記磁石を挟む前記第１内ヨーク及び前記第２内ヨークと、前記第１位置決め部材及び前記第２位置決め部材によって位置決めされる前記第１外ヨーク及び前記第２外ヨークと、前記第１位置決め部材及び前記第２位置決め部材に前記第１ボイスコイル部及び前記第２ボイスコイル部を弾性支持する前記第１第１支持部、前記第２第１支持部、前記第１第２支持部及び前記第２第２支持部が固定されたボイスコイルユニットとを収容するフレーム部材を有する構成とすることができる。
【００３０】
このような構成により、磁石を挟み込んだ第１内ヨーク及び第２内ヨークと、第１外ヨーク及び第２外ヨークと、ボイスコイルユニットとが第１位置決め部材及び第２位置決め部材に一体化された状態でフレーム部材に収容されるようになる。
【００３１】
更に、本発明に係るスピーカ装置において、前記フレーム部材は、前記第１外ヨークと前記第１内ヨーク及び前記第２内ヨークのそれぞれとの間に形成される磁気ギャップに沿って前記第１位置決め部材と前記第２位置決め部材との間で延びる第１外縁部と、前記第２外ヨークと前記第１内ヨーク及び前記第２内ヨークのそれぞれとの間に形成される磁気ギャップに沿って前記第１位置決め部材と前記第２位置決め部材との間で延びる第２外縁部とを有し、当該スピーカ装置は、更に、前記フレーム部材の前記第１外縁部に固定されるエッジ部と前記フレーム部材の前記第２外縁部に固定されるエッジ部との間に形成されるダンパー部材を有し、前記第１ボイスコイル部及び前記振動板の一端部が、前記ダンパー部材の前記フレーム部材の前記第１外縁部側の所定部位に固定され、前記第２ボイスコイル部及び前記振動板の他端部が、前記ダンバー部材の前記フレーム部材の前記第２外縁部側の所定部位に固定された構成とすることができる。
【００３２】
そして、上記のような構成において、前記両エッジ部は、前記フレーム部材の前記第１外縁部及び前記第２外縁部とスライド嵌合により固定されるようにすることができ、また、前記振動板の一端部は、前記ダンパー部材の前記フレーム部材の前記第１外縁部側の前記所定部位にスライド嵌合により固定され、前記振動板の他端部は、前記ダンパー部材の前記フレーム部材の前記第２外縁部側の前記所定部位にスライド嵌合により固定されるようにすることができる。
【００３３】
このような構成により、接着剤の使用を抑えることができる。
【００３４】
本発明に係るスピーカ装置は、磁気回路を構成する磁石、外ヨーク及び内ヨークが、前記外ヨークと前記内ヨークとの間に前記磁石からの磁束が横切る磁気ギャップが形成されるように合体され、前記磁気ギャップ内に振動板に連結されたボイスコイルユニットが配置されたスピーカ装置であって、前記外ヨークは、対向配置される第１外ヨーク部と第２外ヨーク部と、該第１外ヨーク部及び前記第２外ヨーク部の一端部を連結する連結部とを有して、断面略凹字状に形成され、前記内ヨークと、該内ヨークと前記連結部にて前記磁石を挟み込む前記外ヨークとを、前記内ヨークの一方の側端面と前記第１外ヨーク部との間、及び前記内ヨークの他方の側端面と前記第２外ヨーク部との間のそれぞれに磁気ギャップが形成されるように位置決めする位置決め部材を有し、前記ボイスコイルユニットは、可撓性基材の表面に第１ボイスコイル配線パターンの形成された第１ボイスコイル部と、可撓性基材の表面に第２ボイスコイル配線パターンの形成された第２ボイスコイル部と、前記可撓性基材において前記第１ボイスコイル部から続いて形成され、前記第１ボイスコイル部を弾性支持する第１支持部と、前記可撓性基材において前記第２ボイスコイル部から続いて形成され、前記第１ボイスコイル部を弾性支持する第２支持部とを有し、前記第１ボイスコイル部が前記内ヨークと前記外ヨークの前記第１外ヨーク部との間に形成された磁気ギャップ内に配置されるように前記第１支持部が前記位置決め部材に固定され、前記第２ボイスコイル部が前記内ヨークと前記外ヨークの前記第２外ヨーク部との間に形成された磁気ギャップ内に配置されるように前記第２支持部が前記位置決め部材に固定された構成となる。
【００３５】
このような構成により、磁気回路は、磁石を挟み込む内ヨークと外ヨーク（第１外ヨーク部、第２外ヨーク部、連結部）とが磁気ギャップが形成されるように位置決めされた状態で、前記磁石、前記内ヨーク及び前記外ヨークが合体された構造となる。そして、位置決め部材に固定された第１支持部にて弾性支持される第１ボイスコイル部が当該位置決め部材によって位置決めされた内ヨークと外ヨークの第１外ヨーク部との間に形成される磁気ギャップ内に配置されるとともに、位置決め部材に固定された第２支持部にて弾性支持される第２ボイスコイル部が当該位置決め部材によって位置決めされた前記内ヨークと前記外ヨークの第２外ヨーク部との間に形成される磁気ギャップ内に配置されるようになるので、磁石を挟み込んだ内ヨーク及び外ヨーク（第１外ヨーク部、第２外ヨーク部及び連結部）と、第１ボイスコイル部及び第２ボイスコイル部を有するボイスコイルユニットとが位置決め部材に一体化された構造のスピーカ装置を実現することができる。
【００３６】
本発明に係るスピーカ装置において、前記位置決め部材は、前記内ヨークを位置決めする内ヨーク位置決め部と、該内ヨーク位置決め部によって位置決めされた前記内ヨークの両側端面と前記外ヨークの前記第１外ヨーク部及び前記第２外ヨーク部との間隔を前記磁気ギャップの間隔に保持するスペーサ部とを有する構成とすることができる。
【００３７】
このような構成により、位置決め部材における内ヨーク位置決め部に位置決めされた内ヨークと外ヨークの第１外ヨークとの間と、前記内ヨークと前記外ヨークの第２外ヨーク部との間とのそれぞれにスペーサ部によって決まる磁気ギャップを容易に形成することができる。
【００４２】
更に、本発明に係るスピーカ装置は、磁気回路を構成する磁石、外ヨーク及び内ヨークが、前記外ヨークと前記内ヨークとの間に前記磁石からの磁束が横切る磁気ギャップが形成されるように合体され、前記磁気ギャップ内に振動板に連結されたボイスコイルユニットが配置されたスピーカ装置であって、前記外ヨークは、対向配置される第１外ヨーク部と第２外ヨーク部と、該第１外ヨーク部及び前記第２外ヨーク部の一端部を連結する連結部とを有して、断面略凹字状に形成され、前記内ヨークと、該内ヨークと前記連結部にて前記磁石を挟み込む前記外ヨークとを、前記内ヨークの一方の側端面と前記第１外ヨーク部との間、及び前記内ヨークの他方の側端面と前記第２外ヨーク部との間のそれぞれに磁気ギャップが形成されるように、当該磁気ギャップの間隔をもって位置決めする位置決め部材を有し、前記位置決め部材として、前記内ヨークと前記外ヨークの前記第１外ヨーク部及び前記第２外ヨーク部それぞれとの間に磁気ギャップが形成されるように、前記内ヨークの一方端部と前記外ヨークの一方端部とに係合する第１位置決め部材と、前記内ヨークと前記外ヨークの前記第１外ヨーク部及び前記第２外ヨーク部それぞれとの間に磁気ギャップが形成されるように、前記内ヨークの他方端部と前記外ヨークの他方端部とに係合する第２位置決め部材とを有し、前記ボイスコイルユニットは、可撓性基材の表面に第１ボイスコイル配線パターンの形成された第１ボイスコイル部と、可撓性基材の表面に第２ボイスコイル配線パターンの形成された第２ボイスコイル部と、前記可撓性基材において前記第１ボイスコイル部の両端部から続いて形成され、前記第１ボイスコイル部を弾性支持する第１第１支持部及び第２第１支持部と、前記可撓性基材において前記第２ボイスコイル部の両端部から続いて形成され、前記第２ボイスコイル部を弾性支持する第１第２支持部及び第２第２支持部とを有し、前記第１ボイスコイル部が前記内ヨークと前記外ヨークの前記第１外ヨーク部との間に形成された磁気ギャップ内に配置されるように、前記第１第１支持部及び前記第２第１支持部が前記第１位置決め部材及び前記第２位置決め部材に固定され、前記第２ボイスコイル部が前記内ヨークと前記外ヨークの前記第２外ヨーク部との間に形成される磁気ギャップ内に配置されるように、前記第１第２支持部及び前記第２第２支持部が前記第１位置決め部材及び前記第２位置決め部材に固定された構成となる。
【００４３】
このような構成により、磁気回路は、磁石を挟み込む内ヨークと外ヨーク（第１外ヨーク部、第２外ヨーク部、連結部）とが磁気ギャップが形成されるように位置決めされた状態で、前記磁石、前記内ヨーク及び前記外ヨークが合体された構造となる。そして、第１位置決め部材と第２位置決め部材とが、内ヨークと第１外ヨークとをそれらの両端部で、内ヨークと外ヨークの第１外ヨーク部との間、及び内ヨークと外ヨークの第２外ヨーク部との間のそれぞれに磁気ギャップが形成されるように、位置決めするようになり、更に、第１位置決め部材及び第２位置決め部材に固定された第１第１支持部及び第２第１支持部にて両端部が弾性支持される第１ボイスコイル部が当該第１位置決め部材及び第２位置決め部材によって位置決めされた内ヨークと外ヨークの第１外ヨーク部との間に形成される磁気ギャップ内に配置されるとともに、第１位置決め部材及び第２位置決め部材に固定された第１第２支持部及び第２第２支持部にて両端部が弾性支持される第２ボイスコイル部が当該第１位置決め部材及び第２位置決め部材によって位置決めされた内ヨークと外ヨークの第２外ヨーク部との間に形成される磁気ギャップ内に配置されるようになるので、磁石を挟み込んだ内ヨーク及び外ヨーク（第１外ヨーク部、第２外ヨーク部、連結部）と、第１ボイスコイル部及び第２ボイスコイル部を有するボイスコイルユニットとが第１位置決め部材及び第２位置決め部材に一体化された構造のスピーカ装置を実現することができる。
【００４４】
また、本発明に係るスピーカ装置において、前記第１ボイスコイル部の一端部を弾性支持する前記第１第１支持部と、前記第２ボイスコイル部の一端部を弾性支持する前記第１第２支持部とは連続的に形成され、前記第１第１支持部と前記第１第２支持部との境界部が前記第１位置決め部材に固定され、前記第１ボイスコイル部の他端部を弾性支持する前記第２第１支持部と、前記第２ボイスコイル部の他端部を弾性支持する前記第２第２支持部とは連続的に形成され、前記第２第１支持部と前記第２第２支持部との境界部が前記第２位置決め部材に固定された構成とすることができる。
【００４５】
このような構成により、連続的に形成される第１ボイスコイル部の一端部を弾性支持する第１第１支持部と第２ボイスコイル部の一端部を弾性支持する第１第２支持部とがそれらの境界部にて共通的に第１位置決め部材に固定され、連続的に形成される第１ボイスコイル部の他端部を弾性支持する第２第１支持部と第２ボイスコイル部の他端部を弾性支持する第２第２支持部とがそれらの境界部にて共通的に第２位置決め部材に固定されるようになるので、第１ボイスコイル部及び第２ボイスコイル部を備えたボイスコイルユニットを前記第１位置決め部及び第２位置決め部により簡易な構造にて固定することができるようになる。
【００４６】
また、本発明に係るスピーカ装置において、前記外ヨークの前記第１外ヨーク部の前記連結部がつながる端部と逆側の端部に固定された第１フレーム部材と、前記外ヨークの前記第２外ヨーク部の前記連結部につながる端部と逆側の端部に固定された第２フレーム部材と、前記第１フレーム部材に固定されるエッジ部と前記第２フレーム部材に固定されるエッジ部との間に形成されるダンパー部材を有し、前記第１ボイスコイル部及び前記振動板の一端部が、前記ダンパー部材の前記第１フレーム部材側の所定部位に固定され、前記第２ボイスコイル部及び前記振動板の他端部が、前記ダンパー部材の前記第２フレーム部材側の所定部位に固定された構成とすることができる。
【００４７】
そして、上記のような構成において、前記両エッジ部は、前記第１フレーム部材及び前記第２フレーム部材とスライド嵌合により固定されるようにすることができ、また、前記振動板の一端部は、前記ダンパー部材の前記第１フレーム部材側の前記所定部位にスライド嵌合により固定され、前記振動板の他端部は、前記ダンパー部材の前記第２フレーム部材側の前記所定部位にスライド嵌合により固定されるようにすることができる。
【００４８】
このような構成により、接着剤の使用を抑えることができる。
【発明の効果】
【００４９】
本発明に係るスピーカ装置によれば、磁気回路は、位置決め部材によって内ヨークと外ヨークとが磁気ギャップが形成されるように位置決めされた状態で、磁石、前記外ヨーク及び前記内ヨークが合体された構造となるので、前記磁気回路が位置決め部材によって作業性良く組み立てることができる。また、前記位置決め部材によって内ヨークと外ヨークとが位置決めされているので、当該内ヨーク及び外ヨークの接着剤による位置固定力を緩和しても位置ずれを防止することができるので、磁気回路の分解が容易になって、内ヨーク及び外ヨークを含む磁気回路の各部品の個別的なリサイクルが比較的容易になる。
【図面の簡単な説明】
【００５０】
【図１】本発明の第１の実施の形態に係るスピーカ装置の外観を示す斜視図である。
【図２】図１に示すスピーカ装置のＡ線で切断した断面構造を示す断面図である。
【図３】第１内ヨークの構造を示す斜視図である。
【図４】磁石板を示す斜視図である。
【図５】第２内ヨークの構造を示す斜視図である。
【図６Ａ】第１位置決め部材の構造を示す斜視図である。
【図６Ｂ】第２位置決め部材の構造を示す斜視図である。
【図７】第１外ヨーク及び第２外ヨークを対にして示す斜視図である。
【図８】フレーム部材の構造を示す斜視図である。
【図９】ボイスコイルユニットの構造を示す斜視図である。
【図１０】ダンパー部材の構造を示す斜視図である。
【図１１】振動板を示す斜視図である。
【図１２】第１横エッジ部と第２横エッジ部とを対にして示す斜視図である。
【図１３Ａ】ボイスコイルユニットに形成されるボイスコイル配線パターンの一例を示す平面図である。
【図１３Ｂ】ボイスコイルユニットに形成されるボイスコイル配線パターンの他の一例を示す平面図である。
【図１４】第２内ヨークに磁石板を重ねてなる構造体を示す斜視図である。
【図１５】第１内ヨークと第２内ヨークとによって磁石板を挟み込んでなる構造体を示す斜視図である。
【図１６】図１５に示す構造体を第１位置決め部材及び第２位置決め部材に組付けてなる新たな構造体を示す斜視図である。
【図１７】図１６に示す構造体における第１位置決め部材及び第２位置決め部材に更に第１外ヨーク及び第２外ヨークをセットした状態の新たな構造体を示す斜視図である。
【図１８】図１７に示す構造体にフレーム部材を組付けてなる新たな構造体を示す斜視図である。
【図１９】図１８に示す構造体にボイスコイルユニットを組付けてなる新たな構造体を示す斜視図である。
【図２０】図１９に示す構造体にダンパー部材を組付けてなる新たな構造体を示す斜視図である。
【図２１】図２０に示す構造体において、第１縦エッジ部（第２縦エッジ部）とフレーム部材との固定構造を拡大して示す部分拡大斜視図である。
【図２２】図２０に示す構造体に振動板を組付けてなる新たな構造体を示す斜視図である。
【図２３】図２２に示す構造体において、ダンパー部材と振動板との固定構造を拡大して示す部分拡大斜視図である。
【図２４Ａ】ボイスコイルユニットの第２端子部を第２位置決め部材の端子セット面にセットした状態を拡大して示す斜視図である。
【図２４Ｂ】第２位置決め部材の端子セット面にセットされたボイスコイルユニットの第２端子部の固定構図を拡大して示す斜視図である。
【図２５】図２に示す構造のスピーカ装置における磁気回路内の磁束を示す図である。
【図２６】本発明の第２の実施の形態に係るスピーカ装置の外観を示す斜視図である。
【図２７】図２６に示すスピーカ装置のＡ線で切断した断面構造を示す断面図である。
【図２８】内ヨークの構造を示す斜視図である。
【図２９】外ヨークの構造を示す斜視図である。
【図３０Ａ】第１位置決め部材の構造を示す斜視図である。
【図３０Ｂ】第２位置決め部材の構造を示す斜視図である。
【図３１】第１フレーム部材と第２フレーム部材とを対にして示す斜視図である。
【図３２】ボイスコイルユニットの構造を示す斜視図である。
【図３３】ボイスコイルユニットに形成されるボイスコイル配線パターンの一例を示す図である。
【図３４】磁石板に内ヨークを重ねてなる構造体を示す斜視図である。
【図３５】図３４に示す構造体を第１位置決め部自あ及び第２位置決め部材に組付けてなる新たな構造体を示す斜視図である。
【図３６】図３５に示す構造体における第１位置決め部材及び第２位置決め部材に外ヨークをセットした状態の新たな構造体を示す斜視図である。
【図３７】図３６に示す構造体に第１フレーム部材及び第２フレーム部材を固定してなる新たな構造体を示す斜視図である。
【図３８】図３７に示す構造体にボイスコイルユニットを組付けてなる新たな構造体を示す斜視図である。
【図３９】図３８に示す構造体にダンパー部材を組付けてなる新たな構造体を示す斜視図である。
【図４０】図３９に示す構造体に振動板を組付けてなる新たな構造体を示す斜視図である。
【図４１】図２７に示す構造のスピーカ装置における磁気回路内の磁束を示す図である。
【発明を実施するための形態】
【００５１】
以下、本発明の実施の形態について図面を用いて説明する。
【００５２】
本発明の第１の実施の形態に係るスピーカ装置の外観は、図１に示すようになっている。
【００５３】
図１に示すスピーカ装置１０は、角形のスピーカ装置であって、図３乃至図１２に示す部品にて構成され、図２に示す断面構造を有する。具体的には、図３に示す矩形板状で鉄製の第１内ヨーク１１、図４に示す矩形板状の磁石板１２、図５に示す矩形板状で鉄製の第２内ヨーク１３、図６Ａに示す非磁性体（例えば、樹脂）で形成された第１位置決め部材１６ａ、図６Ｂに示す非磁性体（例えば、樹脂）で形成された第２位置決め部材１６ｂ、図７に示す第１外ヨーク１４及び第２外ヨーク１５、図８に示すフレーム部材１７、図９に示すボイスコイルユニット１８、図１０に示すダンバー部材１９、図１１に示す振動板２１、及び図１２に示す第１横エッジ部２２ａ及び第２横エッジ部２２ｂの各部品を組み立てることによってスピーカ装置１０が形成される。
【００５４】
図３（図５）に示す第１内ヨーク１１（第２内ヨーク１３）は、矩形板状となるヨーク本体１１０（１３０）の長手方向の一端部に対になる位置決め突起１１１、１１２（１３１、１３２）が形成されるとともに、他方端部に対になる位置決め突起１１３、１１４（１３３、１３４）が形成された構造となっている。各対になる位置決め突起１１１、１１２（１３１、１３２）（１１３、１１４）（１３３、１３４）の間隔、具体的には、それらの外側面間の長さが所定長に設定されている。図４に示す磁石板１２は、第１内ヨーク１１及び第２内ヨーク１３のそれぞれのヨーク本体１１０、１３０の板面より僅かに小さい面積の板面を有する矩形板状に形成されている。
【００５５】
図６Ａに示す第１位置決め部材１６ａと図６Ｂに示す第２位置決め部材１６ｂとは、第１内ヨーク１１、第２内ヨーク１３、第１外ヨーク１４及び第２外ヨークの位置決めのために用いられる。以下、第１位置決め部材１６ａの構造について説明するが、第２位置決め部材１６ｂの構造も同じである。図６Ａ（図６Ｂ）において、横バー１６０ａ（１６０ｂ）にそれから垂下するように角棒状の第１横スペーサ部１６２ａ（１６２ｂ）及び第２横スペーサ部１６３ａ（１６２ｂ）が形成されている。第１横スペーサ部１６２ａ（１６２ｂ）の内面１６２ａａ（１６２ｂａ）と第２横スペーサ部１６３ａ（１６３ｂ）の内面１６３ａａ（１６３ｂａ）との間隔は、前述した第１内ヨーク１１及び第２内ヨーク１３のそれぞれの各対になる突起１１１、１１２（１３１、１３２）、（１１３、１１４）、（１３３、１３４）の外側面間の長さと同じに設定されている。また、第１横スペーサ部１６２ａ（１６２ｂ）及び第２横スペーサ部１６３ａ（１６３ｂ）それぞれの横方向の幅は、当該スペーサが保持すべき間隔に対応する値に設定されている。なお、この幅は、第１内ヨーク１１及び第２内ヨーク１３それぞれの横幅及び形成すべき磁気ギャップＧｐを考慮して決められる。
【００５６】
第１横スペーサ部１６２ａ（１６２ｂ）と第２横スペーサ部１６３ａ（１６３ｂ）との間には、それぞれの内面１６２ａａ（１６２ｂａ）、１６３ａａ（１６３ｂａ）の縦方向における略中部を結ぶように、矩形板状の縦スペーサ部１６４ａ（１６４ｂ）が形成されている。縦スペーサ部１６４ａ（１６４ｂ）の縦方向の厚さは、当該スペーサが保持すべき間隔に対応する値に設定されている。なお、この厚さは、後述するように第１内ヨーク１１、第２内ヨーク１３が維持すべき間隔、即ち、磁石板１２の板厚を考慮して決められる。縦スペーサ部１６４ａ（１６４ｂ）の上面には、横バー１６０ａ（１６０ｂ）の延びる方向に直交する方向に延び、上外縁が面取りされた形状の２つの突起部１６５ａ（１６５ｂ）、１６６ａ（１６６ｂ）が形成されている。これら２つの突起部１６５ａ（１６５ｂ）、１６６ａ（１６６ｂ）は、所定の間隔をもって縦スペーサ部１６４ａ（１６４ｂ）の上面の中心に対して左右対称に配置されている。２つの突起部１６５ａ（１６５ｂ）、１６６ａ（１６６ｂ）によって、縦スペーサ部１６４ａ（１６４ｂ）の上面は３つの部分に分割される。２つの突起部１６５ａ（１６５ｂ）、１６６ａ（１６６ｂ）の間の部分は、後述するようにボイスコイルユニット１８の端子部がセットされる端子セット面１６７ａ（１６７ｂ）となり、一方の突起部１６５ａ（１６５ｂ）と第１横スペーサ部１６２ａ（１６２ｂ）との間の部分は、第１内ヨーク１１を位置決めするための第１位置決め面１６４ａａ（１６４ｂａ）となり、更に、他方の突起部１６６ａ（１６６ｂ）と第２横スペーサ部１６３ａ（１６３ｂ）との間の部分も、第１内ヨーク１１を位置決めするための第２位置決め面１６４ａｂ（１６４ｂｂ）となる。一方の突起部１６５ａ（１６５ｂ）と第１スペーサ部１６２ａ（１６２ｂ）との間隔は、第１内ヨーク１１の位置決め突起１１１（１１４）の幅に対応するように設定され、他方の突起部１６６ａ（１６６ｂ）と第２スペーサ部１６３ａ（１６３ｂ）との間隔は、第１内ヨーク１１の位置決め突起１１２（１１３）の幅に対応するように設定されている。縦スペーサ部１６４ａ（１６４ｂ）の前述したように３つの部分に分けられる上面と逆側の下面は、第２内ヨーク１３を位置決めするための位置決め面となる。
【００５７】
なお、横バー１６０ａ（１６０ｂ）には一体的に外枠部１６１ａ（１６１ｂ）が形成されている。外枠部１６１ａ（１６１ｂ）は、後述するフレーム部材１７の第１外縁部１７４及び第２外縁部１７５と連結して全体として矩形状の枠体を形成する。
【００５８】
図７に示す第１外ヨーク１４及び第２外ヨーク１５は、矩形板形状であって、前述した第１内ヨーク１１、第２内ヨーク１３及び磁石板１２とともに、磁気回路を構成する。図８に示すフレーム部材１７は、金属または樹脂を押し出し成型することにより形成され、内側にアーチ状に入り込んだ形状となる底部１７１、底部１７１の一方の端部から続いて立ち上がり、後述するように第１外ヨーク１４を押えるための第１押え部１７２、底部１７２の他方の端部から続いて立ち上がり、後述するように第２外ヨーク１５を押えるための第２押え部１７３、第１押え部１７２から続いて形成される第１外縁部１７４、及び第２押え部１７３から続いて形成される第２外縁部１７５を有している。第１外縁部１７４及び第２外縁部１７５は、前述したように第１位置決め部材１６ａ及び第２位置決め部１６ｂの外枠部１６１ａ、１６１ｂ（図６Ａ、図６Ｂ参照）と連結して全体として矩形状の枠体を形成する。
【００５９】
図９に示すボイスコイルユニット１８は、フレキシブル基板の表面に第１ボイスコイル配線パターンの形成された第１ボイスコイル部１８１と、フレキシブル基板の表面に第２ボイスコイル配線パターンの形成された第２ボイスコイル部１８２と、第１ボイスコイル部１８１の一端部から続いて形成され、湾曲状態となって第１ボイスコイル部１８１の当該一端部を弾性支持する第１第１支持部１８３ａと、第１ボイスコイル部１８１の他端部から続いて形成され、湾曲状態となって第１ボイスコイル１８１の当該他端部を弾性支持する第２第１支持部１８３ｂと、第２ボイスコイル部１８２の一端部から続いて形成され、湾曲状態となって第２ボイスコイル部１８２の当該一端部を弾性支持する第１第２支持部１８４ａと、第２ボイスコイル部１８２の他端部から続いて形成され、湾曲状態となって第２ボイスコイル部１８２の当該他端部を弾性支持する第２第２支持部１８４ｂとを備えた構造となっている。第１ボイスコイル部１８１の一端部を弾性支持する第１第１支持部１８３ａと第２ボイスコイル部１８２の一端部を弾性支持する第１第２支持部１８４ａとは連続的に形成されており、その境界部が断面凹字状の第１端子部１８５ａとなる。また、第１ボイスコイル部１８１の他端部を弾性支持する第２第１支持部１８３ｂと第２ボイスコイル部１８２の他端部を弾性支持する第２第２支持部１８４ｂとは連続的に形成されており、その境界部が断面凹字状の第２端子部１８５ｂとなる。
【００６０】
図９に示すボイスコイルユニット１８では、第１端子部１８５ａと第２端子部１８５ｂとが水平に維持され、この第１端子部１８５ａ及び第２端子部１８５ｂの一方側に続く第１第１支持部１８３ａと第２第１支持部１８３ｂとが、湾曲状態となって、表面が垂直に維持された第１ボイスコイル部１８１の両端に続いている。また、第１端子部１８５ａ及び第２端子部１８５ｂの他方側に続く第１第２支持部１８４ａと第２第２支持部１８４ｂとが、湾曲状態となって、表面が垂直に維持された第２ボイスコイル部１８２の両端に続いている。これにより、第１第１支持部１８３ａ及び第２第１支持部１８３ｂにて弾性支持される第１ボイスコイル部１８１が垂直方向に振動可能になるとともに、第１第２支持部１８４ａ及び第２第２支持部１８４ｂにて弾性支持される第２ボイスコイル部１８２が垂直方向に振動可能となる。
【００６１】
平面状に展開された状態のボイスコイルユニット１８が図１３Ａに示される。図１３Ａにおいて、第１端子部１８５ａから第１第１支持部１８３ａ、第１ボイスコイル部１８１及び第２第１支持部１８３ｂを通って第２端子部１８５ｂまで配線パターンＬ１１が形成され、第２端子部１８５ｂから前記配線パターンＬ１１に続いて第２第２支持部１８４ｂ、第２ボイスコイル部１８２及び第１第２支持部１８４ａを通って第１端子部１８５ａの前記配線パターンＬ１１に戻る配線パターンＬ２１が形成されている。即ち、配線パターンＬ１１及び配線パターンＬ２１が、第１端子部１８５ａ、第１第１支持部１８３ａ、第１ボイスコイル部１８１、第２第１支持部１８３ｂ、第２端子部１８５ｂ、第２第２支持部１８４ｂ、第２ボイスコイル部１８２、第１第２支持部１８４ａに環状に形成されている。また、環状に連続する配線パターンＬ１１及び配線パターンＬ２１の外側に、第１端子部１８５ａから第１第１支持部１８３ａ、第１ボイスコイル部１８１及び第２第１支持部１８３ｂを通って第２端子部１８５ｂまで配線パターンＬ１２が形成され、第２端子部１８５ｂから前記配線パターンＬ１２に続いて第２第２支持部１８４ｂ、第２ボイスコイル部１８２及び第１第２支持部１８４ａを通って第１端子部１８５ａの配線パターンＬ１２に戻る配線パターンＬ２２が形成されている。即ち、環状に連続する配線パターンＬ１１及び配線パターンＬ２１の外側に、配線パターンＬ１２及び配線パターンＬ２２が、同様に環状に形成されている。
【００６２】
例えば、第１端子部１８５ａに２対の接続点が形成されており、第１ボイスコイル部１８１に形成された配線パターンＬ１１及び第２ボイスコイル部１８２に形成された配線パターンＬ２１に音声信号電流が流れるように、一方の対の接続点に音声信号が供給される。また、第１ボイスコイル部１８１に形成された配線パターンＬ１２及び第２ボイスコイル部１８２に形成された配線パターンＬ２２に前記配線パターンＬ１１、Ｌ２１に流れる音声電流と逆方向に音声信号電流が流れるように、他方の対の接続点に音声信号が供給される。
【００６３】
図１３Ａに示すような展開構成のボイスコイルユニット１８を図９に示す形状に成型することで、第１ボイスコイル部１８１に上下に２つの配線パターンＬ１１、Ｌ１２が配列され、これら配線パターンＬ１１、Ｌ１２によって第１ボイスコイル配線パターン１８６が構成される。また、第２ボイスコイル部１８２にも上下に２つの配線パターンＬ２１、Ｌ２２が配列され、これら配線パターンＬ２１、Ｌ２２によって第２ボイスコイル配線パターン１８７が構成される。
【００６４】
ボイスコイルユニット１８に図１３Ｂに示すような配線パターンを形成することもできる。平面状に展開された状態のボイスコイルユニット１８を示す図１３Ｂにおいて、第１端子部１８５ａから第１第１支持部１８３ａ及び第１ボイスコイル部１８１を通って第１ボイスコイル部１８１の端部まで配線パターンＬ１１が形成され、第１ボイスコイル部１８１の端部から配線パターンＬ１１に続いて第１ボイスコイル部１８１及び第１第１支持部１８３ａを通って第１端子部１８５ａに戻る配線パターンＬ１２が形成されている。即ち、配線パターンＬ１１及び配線パターンＬ１２が、第１端子部１８５ａ、第１第１支持部１８３ａ、第１ボイスコイル部１８１に環状に形成されている。また、第２端子部１８５ｂから第２第２支持部１８４ｂ及び第２ボイスコイル部１８２を通って第２ボイスコイル部の端部まで配線パターンＬ２１が形成され、第２ボイスコイル部１８２の端部から配線パターンＬ２１に続いて第２ボイスコイル部１８２及び第２第２支持部１８４ｂを通って第２端子部１８５ｂに戻る配線パターンＬ２２が形成されている。即ち、配線パターンＬ２１及び配線パターンＬ２２が、第２端子部１８５ｂ、第２第２支持部１８４ｂ、第２ボイスコイル部１８２に環状に形成されている。
【００６５】
第１端子部１８５ａに１対の接続点が形成されており、これら対になる接続点に音声信号が供給されることにより、環状に形成された配線パターンＬ１１及び配線パターンＬ１２にそれぞれ逆方向に音声電流が流れる。また、第２端子部１８５ｂにも１対の接続点が形成されており、これら対になる接続点に音声信号が供給されることにより、環状に形成された配線パターンＬ２１及び配線パターンＬ２２にそれぞれ逆方向に音声電流が流れる。
【００６６】
図１３Ｂに示すような展開構成のボイスコイルユニット１８が図９に示す形状に成型された場合も、図１３Ａに示す構成のボイスコイルユニット１８の場合と同様に、第１ボイスコイル部１８１に上下に２つの配線パターンＬ１１、Ｌ１２が配列され、これら配線パターンＬ１１、Ｌ１２によって第１ボイスコイル配線パターン１８８が構成される。また、第２ボイスコイル部１８２にも上下に２つの配線パターンＬ２１、Ｌ２２が配列され、これら配線パターンＬ２１、Ｌ２２によって第２ボイスコイル配線パターン１８９が構成される。
【００６７】
図１０に示すダンバー部材１９は、例えば、樹脂を押し出し成型することにより形成され、波状に形成されたダンパー本体１９０と、ダンパー本体１９０の一方の外側縁部に続いてアーチ状に形成される第１支持部１９１ａと、ダンパー本体１９０の他方の外側縁部に続いてアーチ状に形成される第２支持部１９１ｂとを有している。ダンパー本体１９０と第１支持部１９１ａとの境界部には第１嵌合溝１９２ａが長手方向に延びるように形成され、ダンパー本体１９０と第２支持部１９１ｂとの境界部にも第２嵌合溝１９２ｂが長手方向に延びるように形成されている。
【００６８】
また、第１支持部１９１ａの外方に続いて第１縦エッジ部２０ａが形成されるとともに、第２支持部１９１ｂの外方に続いて第２縦エッジ部２０ｂが形成されている。第１縦エッジ部２０ａ及び第２縦エッジ部２０ｂには長手方向に延びる第１嵌合溝２０ａａ及び第２嵌合溝２０ｂａが形成されている。
【００６９】
図１１に示す振動板２１は、樹脂、金属及び紙等の材料で形成され、僅かに湾曲形状となった振動板本体２１０と、振動板本体２１０の両外縁にダンパー部材１９の第１嵌合溝１９２ａ及び第２嵌合溝１９２ｂにスライド嵌合すべき第１スライド部２１１及び第２スライド部２１２が形成されている。
【００７０】
図１２に示す第１横エッジ部２２ａ及び第２横エッジ部２２ｂは、樹脂などにより形成され、前述したように、第１位置決め部材１６ａ及び第２位置決め部材１６ｂの外枠部１６１ａ、１６１ｂと、フレーム部材１７の第１外縁部１７４及び第２外縁部１７５とが連結して形成される矩形状の枠体の長手方向の両端部に第１外縁部１７４及び第２外縁部１７５に固定される第１縦エッジ部２０ａ及び第２縦エッジ部２０ｂに連結するように係合するエッジ係合部２２１ａ、２２１ｂを有している。また、エッジ係合部２２１ａ、２２１ｂの内側に延びるように振動板１９との隙間を埋めるエッジカバー部２２２ａ、２２２ｂが形成されている。
【００７１】
前述したような構造の部品（図３〜図１２参照）を次のようにして組み立てることにより図１に示すスピーカ装置１０が形成される。
【００７２】
図１４に示すように、第２内ヨーク１３に磁石板１２が重ねられ、更に、図１５に示すように、磁石板１２に第２内ヨーク１１が重ねられることにより、第１内ヨーク１１と第２内ヨーク１３との間に磁石板１２が挟み込まれる。なお、このとき、磁石板１２は消磁の状態にある。次いで、図１６に示すように、磁石板１２を挟み込んだ状態の第１内ヨーク１１と第２内ヨーク１３とが第１位置決め部材１６ａと第２位置決め部材１６ｂによって位置決めされる。具体的には、第１内ヨーク１１の位置決め突起１１１が、第１位置決め部材１６ａにおける第１横スペーサ部１６２ａと縦スペーサ部１６４ａの突起部１６５ａとによって挟まれた状態で、第１横スペーサ部１６２ａの内面１６２ａａと縦スペーサ部１６４ａの第１位置決め面１６４ａａ（図６Ａ参照）とによって位置決めされ、第１内ヨーク１１の位置決め突起１１２が、第１位置決め部材１６ａにおける第２横スペーサ部１６３ａと縦スペーサ部１６４ａの突起部１６６ａとによって挟まれた状態で、第２横スペーサ部１６３ａの内面１６３ａａと縦スペーサ部１６４ａの第２位置決め面１６４ａｂ（図６Ａ参照）とによって位置決めされる。また、第１内ヨーク１１の位置決め突起１１３が、第２位置決め部材１６ｂにおける第２横スペーサ部１６３ｂと縦スペーサ部１６４ｂの突起部１６６ｂとによって挟まれた状態で、第２横スペーサ部１６３ｂの内面１６３ｂａと縦スペーサ部１６４ｂの第２位置決め面１６４ｂｂ（図６Ｂ参照）とによって位置決めされ、第１内ヨーク１１の位置決め突起１１４が、第２位置決め部材１６ｂにおける第１スペーサ部１６２ｂと縦スペーサ部１６４ｂの突起部１６５ｂとによって挟まれた状態で、第１横スペーサ部１６２ｂの内面１６２ｂａと縦スペーサ部１６４ｂの第１位置決め面１６４ｂａ（図６Ｂ参照）とによって位置決めされる。
【００７３】
更に、図１６には明確には表れていないが、第２内ヨーク１３についても第１内ヨーク１１と同様に第１位置決め部材１６ａと第２位置決め部材１６ｂとによって位置決めされる。即ち、第２内ヨーク１３の位置決め突起１３１が第１位置決め部材１６ａにおける第１横スペーサ部１６２ａの内面１６２ａａと縦スペーサ部１６４ａの下面（図６Ａ参照）とによって位置決めされ、第２内ヨーク１３の位置決め突起１３２が第１位置決め部材１６ａにおける第２横スペーサ部１６３ａの内面１６３ａａと縦スペーサ部１６４ａの下面（図６Ａ参照）とによって位置決めされる。また、第２内ヨーク１３の位置決め突起１３３が第２位置決め部材１６ｂにおける第２横スペーサ部１６３ｂの内面１６３ｂａと縦スペーサ部１６４ｂの下面とによって位置決めされ、第２内ヨーク１３の位置決め突起１３４が第２位置決め部材１６ｂにおける第１横スペーサ部１６２ｂの内面１６２ｂａと縦スペーサ部１６４の下面とによって位置決めされる。
【００７４】
このように、磁石板１２を挟み込んだ第１内ヨーク１１及び第２内ヨーク１３は、第１位置決め部材１６ａ及び第２位置決め部材１６ｂによって、横方向の位置決めがなされるとともに、第１内ヨーク１１と第２内ヨーク１３との間隔が縦スペーサ部１６４ａ、１６４ｂの厚さ（磁石板１２の厚さに対応する）に維持される。
【００７５】
このような状態で、図１７に示すように、第１外ヨーク１４が第１位置決め部材１６ａの第１横スペーサ部１６２ａと第２位置決め部材１６ｂの第２横スペーサ部１６３ｂとに押し当てられるとともに、第２外ヨーク１４が第１位置決め部材１６ａの第２横スペーサ部１６３ａと第２位置決め部材の第１横スペーサ部１６２ｂとに押し当てられる。これにより、第１内ヨーク１１及び第２内ヨーク１３の位置決め突起１１１、位置決め突起１１３、位置決め突起１３１及び位置決め突起１３３のそれぞれと第１外ヨーク１４の板面との間が第１位置決め部材１６ａの第１横スペーサ部１６２ａ及び第２位置決め部材１６ｂの第２横スペーサ部１６３ｂの幅に相当する間隔に保持されるとともに、第１内ヨーク１１及び第２内ヨーク１３の位置決め突起１１２、位置決め突起１１４、位置決め突起１３２及び位置決め突起１３４のそれぞれと第２外ヨーク１５の板面との間が第１位置決め部材１６ａの第２横スペーサ部１６３ａ及び第２位置決め部材１６ｂの第１横スペーサ部１６２ｂの幅に相当する間隔に保持される。その結果、図１７とともに図２に詳細に示すように、第１外ヨーク１４の板面と第１内ヨーク１１及び第２内ヨーク１３それぞれの一方の側端面との間に磁気ギャップＧｐが形成されるとともに、第２外ヨーク１５の板面と第１内ヨーク１１及び第２内ヨーク１３それぞれの他方の側端面との間に磁気ギャップＧｐが形成される。
【００７６】
次に、磁石板１２を挟み込んだ状態で第１位置決め部材１６ａ及び第２位置決め部材１６ｂによって位置決めされた第１内ヨーク１１及び第２内ヨーク１３と、第１外ヨーク１４及び第２外ヨーク１５とが、図１８とともに図２に詳細に示すように、フレーム部材１７に収容される。フレーム部材１７の底部１７１が第２内ヨーク１３を第１位置決め部材１６ａ及び第２位置決め部材１６ｂの縦スペーサ部１６４ａ、１６４ｂに押えつけ、フレーム部材１７の第１押え部１７２と第２押え部１７３が第１外ヨーク１４及び第２外ヨーク１５を挟み込むことにより、第１外ヨーク１４が第１位置決め部材１６ａの第１横スペーサ部１６２ａと第２位置決め部１６ｂの第２横スペーサ部１６３ｂに押えつけられ、第２外ヨーク１５が第１位置決め部材１６ａの第２横スペーサ部１６３ａと第２位置決め部材１６ｂの第１スペース部１６２ｂに押えつけられる。これにより、磁気回路を構成する磁石板１２、第１内ヨーク１１、第２内ヨーク１３、第１外ヨーク１４及び第２外ヨーク１５が、第１位置決め部材１６ａ及び第２位置決め部材１６ｂとともに一体化される。
【００７７】
フレーム部材１７の第１外縁部１７４の両端は、第１位置決め部材１６ａの外枠部１６１ａの一端と、第２位置決め部材１６ｂの外枠部１６１ｂの一端と係合し、フレーム部材１７の第２外縁部１７５の両端は、第１位置決め部材１６ａの外枠部１６１ａの他端と、第２位置決め部材１６ｂの外枠部１６１ｂの他端と係合する。これにより、磁石板１２、第１内ヨーク１１、第２内ヨーク１３、第１外ヨーク１４及び第２外ヨーク１５からなる磁気回路がフレーム部材１７の第１外縁部１７４及び第２外縁部１７５と、第１位置決め部材１６ａの外枠部１６１ａと、第２位置決め部材１６ｂの外枠部１６１ｂとで形成される枠体に囲まれるようになる。
【００７８】
次に、図１９に示すように、前述した磁気回路に対してボイスコイルユニット１８（図９参照）がセットされる。具体的には、ボイスコイルユニット１８の第１ボイスコイル部１８１が第１内ヨーク１１及び第２内ヨーク１３のそれぞれの一方の側端面と第１外ヨーク１４の板面との間に形成された磁気ギャップＧｐ内に配置され、第２ボイスコイル部１８２が第１内ヨーク１１及び第２内ヨーク１３のそれぞれの他方の側端面と第２外ヨーク１５の板面との間に形成された磁気ギャップＧｐ内に配置される（図２参照）。第１端子部１８５ａは、第１位置決め部材１６ａにおける縦スペーサ部１６４ａ（図６Ａ参照）の２つの突起部１６５ａ、１６６ａ間の端子セット面１６７ａに固定され、第２端子部１８５ｂは、第２位置決め部材１６ｂにおける縦スペーサ部１６５ｂ（図６Ｂ参照）の２つの突起部１６５ｂ、１６６ｂ間の端子セット面１６７ｂに固定される。この状態で、第１内ヨーク１１及び第２内ヨーク１３それぞれの一方の側端面と第１外ヨーク１４の板面との間に形成された磁気ギャプＧｐ内に配置される第１ボイスコイル部１８１は、第１端子部１８５ａから続く第１第１支持部１８３ａと第２端子部１８５ｂから続く第２第１支持部１８３ｂとによって両端部が弾性支持され、当該磁気ギャップＧｐ内で上下振動可能となる。また、第１内ヨーク１１及び第２内ヨーク１３それぞれの他方の側端面と第２外ヨーク１５の板面との間に形成された磁気ギャプＧｐ内に配置される第２ボイスコイル部１８２は、第１端子部１８５ａから続く第１第２支持部１８４ａと第２端子部１８５ｂから続く第２第２支持部１８４ｂとによって両端部が弾性支持され、当該磁気ギャップＧｐ内で上下振動可能となる。
【００７９】
なお、図２に示すように、第１ボイスコイル部１８１に形成された第１ボイスコイル配線パターン１８６（１８８）の配線パターンＬ１１は、第１内ヨーク１１の一方の側端面と第１外ヨーク１４の板面との間に配置され、第１ボイスコイル配線パターン１８６（１８８）の配線パターンＬ１２は、第２内ヨーク１３の一方の側端面と第１外ヨーク１４の板面との間に配置される。また、第２ボイスコイル部１８２に形成された第２ボイスコイル配線パターン１８７（１８９）の配線パターンＬ２１は、第１内ヨーク１１の他方の側端面と第２外ヨーク１５の板面との間に配置され、第２ボイスコイル配線パターン１８７（１８９）の配線パターンＬ２２は、第２内ヨーク１３の他方の側端面と第２外ヨーク１５の板面との間に配置される。
【００８０】
次に、図２０に示すように、ダンパー部材１９が装着される。ダンパー部材１９の一方の外縁部に形成される第１支持部１９１ａに続く第１縦エッジ部２０ａがフレーム部材１７の第１外縁部１７４に固定されるとともに、ダンパー部材１９の他方の外縁部に形成される第２支持部１９１ｂに続く第２縦エッジ部２０ｂがフレーム部材１７の第２外縁部１７５に固定される（図２参照）。これにより、フレーム部材１７の第１外縁部１７４と第２外縁部１７５との間に、磁気回路及びボイスコイルユニット１８を覆うようにダンパー部材１９が設けられる。
【００８１】
ダンパー部材１９のフレーム部材１７への固定は、具体的に、図２１に拡大して示すように、フレーム部材１７の第１外縁部１７４に第１縦エッジ部２０ａの第１嵌合溝２０ａａをスライド嵌合させ、フレーム部材１７の逆側の第２外縁部１７５に、同様にして、第２縦エッジ部２０ｂの第２嵌合溝２０ｂａをスライド嵌合させることによりなされる。
【００８２】
ダンパー部材１９が装着される際に、図２に示すように、磁気ギャップＧｐから出ている第１ボイスコイル部１８１の先端部がダンパー本体１９０と第１支持部１９１ａとの境界部（第１嵌合溝１９２ａが形成された部位）に接着剤により固定される。また、磁気ギャップＧｐから出ている第２ボイスコイル部１８２の先端部がダンパー本体１９０と第２支持部１９１ｂとの境界部（第２嵌合溝１９２ｂが形成された部位）に接着剤により固定される。これにより、ボイスコイルユニット１８全体がダンパー部材１９によって弾性支持される。
【００８３】
次に、図２２に示すように、ダンパー部材１９に振動板２１が装着される。具体的には、図２１とともに図２３に拡大して示すように、ダンパー本体１９０と第１支持部１９１ａとの境界部に形成された第１嵌合溝１９２ａに振動板２１の第１スライド部２１１をスライド嵌合させる。また、ダンパー本体１９０と第２支持部１９１ｂとの境界部に形成された第２嵌合溝１９２ｂに、同様に、振動板２１の第２スライド部２１２をスライド嵌合させる。これにより、振動板２１がダンパー部材１９（ダンパー本体１９０）に固定される。そして、前述したように、ボイスコイルユニット１８の第１ボイスコイル部１８１の先端部がダンパー本体１９０と第１支持部１９１ａとの境界部に接着剤により接着されており、また、ボイスコイルユニット１８の第２ボイスコイル部１８２の先端部がダンパー本体１９０と第２支持部１９１ｂとの境界部に接着剤により接着されているので（図２参照）、結果として、ボイスコイルユニット１８（第１ボイスコイル部１８１、第２ボイスコイルユニット１８２）は、振動板２１に連結した構造となり、ボイスコイルユニット１８の振動が振動板２１に伝達する。
【００８４】
最後に、図１に示すように第１横エッジ部２２a及び第２横エッジ部２２ｂが装着されて、各部品の組み立てが終了する。具体的には、図２２に示すように第１位置決め部材１６ａ及び第２位置決め部材１６ｂの外枠部１６１ａ、１６１ｂと、フレーム部材１７の第１外縁部１７４及び第２外縁部１７５とが連結して形成される矩形上の枠体の第１位置決め部材１６ａの外枠部１６１ａ側の端部に第１横エッジ部２２ａのエッジ係合部２２１ａが固定されるとともに、前記外枠の第２位置決め部材１６ｂの外枠部１６１ｂ側の端部に第２横エッジ部２２ｂのエッジ係合部２２１ｂが固定される。これにより、エッジ係合部２２１ａ及び２２２ａが第１縦エッジ部２０ａ及び第２縦エッジ部２０ｂに連結するとともに、エッジカバー部２２２ａ、２２２ｂが振動板２１及びダンパー部材１９（第１支持部１９１ａ、第２支持部１９１ｂ）の端縁に連結する。
【００８５】
このようにして各部品が組み立てられると、磁石板１２の着磁がなされる。磁石板１２が着磁されると、第１内ヨーク１１、第２内ヨーク１３、第１外ヨーク１４及び第２外ヨーク１５が磁石板１２に引き付けられて、それらは、第１位置決め部材１６ａ及び第２位置決め部材１６ｂとともに更に強固に一体化される。ただし、第１位置決め部材１６ａ及び第２位置決め部材１６ｂによって、第１内ヨーク１１及び第２内ヨーク１３それぞれの一方の側端面と第１外ヨーク１４の板面との間の磁気ギャップＧｐ及び第１内ヨーク１１及び第２内ヨーク１３それぞれの他方の側端面と第２外ヨーク１４の板面との間の磁気ギャップＧｐは精度良く維持される。
【００８６】
なお、前述したように組み立てられる部品は、磁石板１２の着磁前に必要に応じて適宜接着剤にて接着固定してもよい。
【００８７】
ボイスコイルユニット１８の音声信号出力回路との電気的な接続は、図２４Ａ及び図２４Ｂに示すようになされる。なお、図２４Ａ及び図２４Ｂは、ボイスコイルユニット１８の第２端子部１８５ｂについての構造を拡大して示しているが、ボイスコイルユニット１８の第１端子部１８５ａについても同様の構造となる。なお、この場合、ボイスコイルユニット１８の第１ボイスコイル部１８１及び第２ボイスコイル部１８２には、例えば、図１３Ｂに示すようなボイスコイル配線パターン（第１ボイスコイル配線パターン１８８、第２ボイスコイル配線パターン１８９）が形成されている。
【００８８】
図２４Ａにおいて、第２位置決め部材１６ｂにおける縦スペーサ部１６４ｂの２つの突出部１６５ｂ、１６６ｂと端子セット面１６７ｂとで形成される凹部に、第１ボイスコイル部１８１から続く第２第１支持部１８３ｂと第２ボイスコイル部１８２から続く第２第２支持部１８４ｂとの境界部に形成された第２端子部１８５ｂがセットされている。その第２端子部１８５ｂには、第２ボイスコイル配線パターン１８９の対になる接続点Ｃが露出するように形成されている。音声信号出力回路から延びるリード線３１の先端にカプラー端子３０が接続されている。カプラー端子３０は、樹脂にて形成され、ボイスコイルユニット１８の凹字状の第２端子部１８５ｂに合致する外形形状を有している。そして、図２４Ｂに示すように、第２位置決め部材１６ｂにおける縦スペーサ部１６４ｂの２つの突出部１６５ｂ、１６６ｂと端子セット面１６７ｂとで形成される凹部にセットされた第２端子部１８５ｂにカプラー端子３０をはめ込むと、カプラー端子３０のリード線３１から続く対となる接続点（図示されず）が第２端子部１８５ｂの接続点Ｃに圧接する。これにより、リード線３１と第２ボイスコイル配線パターン１８９とが電気的に接続され、音声信号出力回路からリード線３１を通して供給される音声信号が第２端子部１８５ｂの接続点Ｃを介して第２ボイスコイル配線パターン１８９に供給される。
【００８９】
前述したように、図２４Ａ及び図２４Ｂには、ボイスコイルユニット１８の第２端子部１８５ｂの逆側の第１端子部１８５ａについては示されていないが、第１位置決め部材１６ｂにおける縦スペーサ部１６４ａの２つの突出部１６５ａ、１６６ａと端子セット面１６７ａとで形成される凹部にセットされる第１端子部１８５ａにも、第２端子部１８５ｂの場合と同様に、リード線の接続されたカプラー端子がはめ込まれる。これより、音声信号出力回路からリード線を通して供給される音声信号が第１端子部１８５ｂの接続点を介して第１ボイスコイル部１８１に形成された第１ボイスコイル配線パターン１８８に供給される。
【００９０】
第１ボイスコイル部１８１に形成された第１ボイスコイル配線パターン１８８と第２ボイスコイル部１８２に形成された第２ボイスコイル配線パターン１８９とに同じ音声信号を並列的に供給することができる。また、第１ボイスコイル配線パターン１８８及び第２ボイスコイル配線パターン１８９に異なる周波数特性（例えば、低音用と高音用等）の音声信号を供給することもできる。更に、第１ボイスコイル配線パターン１８８及び第２ボイスコイル配線パターンに異なる音声信号（例えば、ボーカル音声や楽器音）を供給することもできる。
【００９１】
なお、ボイスコイルユニット１８の第１ボイスコイル部１８１及び第２ボイスコイル部１８２に、例えば、図１３Ａに示すようなボイスコイル配線パターン（第１ボイスコイル配線パターン１８６、第２ボイスコイル配線パターン１８７）が形成された場合にも、ボイスコイルユニット１８の第１端子部１８５ａまたは第２端子部１８５ｂに同様のカプラー端子を嵌め込むことにより、２対の接続点を介して第１ボイスコイル配線パターン１８６及び第２ボイスコイル配線パターン１８７に音声信号を供給することができる。なお、音声信号が供給されることのない第１端子部１８５aまたは第２端子部１８５ｂには、ダミーのカプラー端子を嵌め込んでおくことができる。
【００９２】
磁気回路（磁石板１２、第１内ヨーク１１、第２内ヨーク１３、第１外ヨーク１４及び第２外ヨーク１５）において図２５に示すように磁束が生成される。図２５において、磁石板１２のＮ極面からの磁束は、第１内ヨーク１１の一方の側端面から磁気ギャップＧｐを横切って第１外ヨーク１４に至り、第１外ヨーク１４を通った磁束が、その第１外ヨーク１４から磁気ギャップＧｐを横切って第２内ヨーク１３の一方の側端面に至り、磁石板１２のＳ極面に戻る。また、磁石板１２のＮ極面からの磁束は、第１内ヨーク１１の他方側端面から磁気ギャップＧｐを横切って第２外ヨーク１５に至り、第１外ヨーク１５を通った磁束が、その第２外ヨーク１５から磁気ギャップＧｐを横切って第２内ヨーク１３の他方の側端面に至り、磁石板１２のＳ極面に戻る。
【００９３】
磁気回路に図２５に示すような磁束が形成されている状態において、カプラー端子３０を介してボイスコイルユニット１８の第１ボイスコイル配線パターン１８６（Ｌ１１、Ｌ１２）及び第２ボイスコイル配線パターン１８７（Ｌ２１、Ｌ２２）に音声信号が供給される。図２５において、第１内ヨーク１１の一方の側端面と第１外ヨーク１４の板面との間に形成される磁気ギャップＧｐを横切る磁束と、第２内ヨーク１３の一方の側端面と第１外ヨーク１４の板面との間に形成される磁気ギャップＧｐを横切る磁束とでは、その方向が逆になるが、それぞれの磁気ギャップＧｐ内に配置される第１ボイスコイル配線パターン１８６の配線パターンＬ１１と配線パターンＬ１２とを流れる音声電流の向きも逆なるので、磁気ギャップＧｐ内での磁束と音声信号電流との相互作用によって、配線パターンＬ１１と配線パターンＬ１２とに同じ方向の力が働き、第１ボイスコイル配線パターン１８６の形成された第１ボイスコイル部１８１は、音声信号に応じて上下方向Ｄｖに振動する。
【００９４】
また、図２５において、第１内ヨーク１１の他方の側端面と第２外ヨーク１５の板面との間に形成される磁気ギャップＧｐを横切る磁束、及び第２内ヨーク１３の他方の側端面と第２外ヨーク１５の板面との間に形成される磁気ギャップＧｐを横切る磁束も同様に、その方向が逆なる。この場合も、それぞれの磁気ギャップＧｐ内に配置される第２ボイスコイル配線パターン１８７の配線パターンＬ２１と配線パターンＬ２２とを流れる音声電流の向きが逆なるので、磁気ギャップＧｐ内での磁束と音声信号電流との相互作用によって、配線パターンＬ２１と配線パターンＬ２２とに同じ方向の力が働き、第２ボイスコイル配線パターン１８７の形成された第２ボイスコイル部１８２は、第１ボイスコイル部１８１と同様に音声信号に応じて上下方向Ｄｖに振動する。
【００９５】
このような音声信号に応じた第１ボイスコイル部１８１及び第２ボイスコイル部１８２の上下方向Ｄｖの振動により、それらボイスコイル部１８１、１８２に連結する振動板２１が前記音声信号に応じて振動する。その結果、音声信号に応じた音が出力される。
【００９６】
前述したような第１の実施の形態に係るスピーカ装置１０では、磁気回路は、第１位置決め部材１６ａ及び第２位置決め部材１６ｂによって第１内ヨーク１１、第２内ヨーク、第１外ヨーク１４及び第２外ヨーク１５が磁気ギャップＧｐが形成されるように位置決めされた状態で、磁石板１２、第１内ヨーク１１、第２内ヨーク１３、第１外ヨーク１４及び第２外ヨーク１５が合体された構造となるので、当該磁気回路が第１位置決め部材１６ａ及び第２位置決め部材１６ｂによって作業性良く組み立てることができる。更に、第１位置決め部材１６ａ及び第２位置決め部材１６ｂに、他の部品、具体的には、フレーム部材１７、ボイスコイルユニット１８、及び第１横エッジ部２２ａ、第２横エッジ部２２ｂも組み付けられる構造となっているので、更に組立作業性が良いものとなる。
【００９７】
また、第１位置決め部材１６ａ及び第２位置決め部材１６ｂによって第１内ヨーク１１、第２内ヨーク１３、第１外ヨーク１４及び第２外ヨーク１５が位置決めされているので、第１内ヨーク１１、第２内ヨーク１３、第１外ヨーク１４及び第２外ヨーク１５の接着剤による位置固定力を緩和しても位置ずれを防止することができる。その結果、磁気回路（磁石板１２、第１内ヨーク１１、第２内ヨーク１３、第１外ヨーク１４及び第２外ヨーク１５）の分解が容易となり、磁気回路の各部品の個別的なリサイクルが比較的容易なものとなる。
【００９８】
また、ボイスコイルユニット１８の音声信号出力回路との電気的な接続が、ボイスコイルユニット１８の第１端子部１８５ａ及び第２端子部１８５ｂに嵌め込まれるカプラー端子３０によってなされるので（図２４Ａ及び図２４Ｂ参照）、ボイスコイルユニット１８に対するリード線の引き回しがより簡素になって、組み立てが容易になる。また、ボイスコイルユニット１８にリード線によって引っ張られる等の不要な負荷がかかることを防止することができる。
【００９９】
次に、本発明の第２の実施の形態に係るスピーカ装置について説明する。前述した本発明の第１の実施の形態に係るスピーカ装置１０では、磁気回路（磁石板１２、第１内ヨーク１１、第２内ヨーク１３、第１外ヨーク１４及び第２外ヨーク１５）において２対の磁気ギャップＧｐが形成されていたが、本発明の第２の実施の形態に係るスピーカ装置は、磁気回路において１つの磁気ギャップＧｐが形成された構造となっている。
【０１００】
本発明の第２の実施の形態に係るスピーカ装置の外観は、図２６に示すようになっている。
【０１０１】
図２６に示すスピーカ装置５０は、図１に示すスピーカ装置１０と同様に角形のスピーカ装置であって、図２８に示す矩形板状で鉄製の内ヨーク５１、図２９に示す断面凹字状の外ヨーク５２、図３０Ａに示す非磁性体で形成された第１位置決め部材５３ａ、図３０Ｂに示す非磁性体で形成された第２位置決め部材５３ｂ、図３１に示す第１フレーム部材５４及び第２フレーム部材５５及び図３２に示すボイスコイルユニット５６とともに、第１の実施の形態に係るスピーカ装置１０と同様に、図４に示す磁石板１２、図１０に示すダンパー部材１９、図１１に示す振動板２１及び図１２に示す第１横エッジ部２２ａ及び第２横エッジ部２２ｂの各部品を組み立てることにより形成される。
【０１０２】
図２８に示す内ヨーク５１は、図３に示す第１内ヨーク１１と同様に、矩形板状となるヨーク本体５１０の長手方向の両端部に対になる位置決め突起５１１、５１２及び位置決め突起５１３、５１４が形成された構造となっている。図２９に示す外ヨーク５２は、所定間隔をもって対向するように配置された第１外ヨーク部５２１及び第２外ヨーク部５２２と、第１外ヨーク部５２１及び第２外ヨーク部５２２の一端部を連結する連結部５２３とを有し、断面凹字状に形成された構造となっている。
【０１０３】
図３０Ａに示す第１位置決め部材５３ａと図３０Ａに示す第２位置決め部材５３ｂとは、内ヨーク５１及び外ヨーク５２の位置決めに用いられる。以下、第１位置決め部材５３ａについて説明するが、第２位置決め部材５３ｂの構造も同じである。図３０Ａ（図３０Ｂ）において、横バー５３０ａ（５３０ｂ）にそれから垂下するように角棒状の第１横スペーサ部５３２ａ（５３２ｂ）及び第２横スペーサ部５３３ａ（５３３ｂ）が形成されている。第１横スペーサ部５３２ａ（５２３ｂ）の内面５３２ａａ（５３２ｂａ）と第２横スペーサ部５３３ａ（５３３ｂ）の内面５３３ａａ（１６３ｂａ）との間隔は、内ヨーク５１の各対になる突起５１１、５１２（５１３、５１４）の外側面間の長さと同じに設定されている。また、第１横スペーサ部５３２ａ（５３２ｂ）及び第２横スペーサ部５３３ａ（５３３ｂ）それぞれの横方向の幅は、当該スペーサが保持すべき間隔に対応する値に設定されている。なお、この幅は、内ヨーク５１の横幅及び形成すべき磁気ギャップＧｐを考慮して決められる。
【０１０４】
第１横スペーサ部５３２ａ（５３２ｂ）と第２横スペーサ部５３３ａ（５３３ｂ）との間には、それぞれの内面５３２ａａ（５３２ｂａ）、５３３ａａ（５３３ｂａ）の縦方向における下端部分を結ぶように、矩形板状の縦スペーサ部５３４ａ（５３４ｂ）が形成されている。縦スペーサ部５３４ａ（５３４ｂ）の縦方向の厚さは、当該スペーサが保持すべき間隔に対応する値に設定されている。なお、この厚さは、後述するように内ヨーク５１と外ヨーク５２の連結部５２３とが維持すべき間隔、即ち、磁石板１２の板厚を考慮して決められる。縦スペーサ部５３４ａ（５３４ｂ）の上面には、横バー５３０ａ（５３０ｂ）の延びる方向に直交する方向に延び、上外縁が面取りされた形状の２つの突起部５３５ａ（５３５ｂ）、５３６ａ（５３６ｂ）が形成されている。これら２つの突起部５３５ａ（５３５ｂ）、５３６ａ（５３６ｂ）は、所定の間隔をもって縦スペーサ部５３４ａ（５３４ｂ）の上面の中心に対して左右対称に配置されている。２つの突起部５３５ａ（５３５ｂ）、５３６ａ（５３６ｂ）によって、縦スペーサ部５３４ａ（５３４ｂ）の上面は３つの部分に分割される。２つの突起部５３５ａ（５３５ｂ）、５３６ａ（５３６ｂ）の間の部分は、後述するようにボイスコイルユニット５６の端子部がセットされる端子セット面５３７ａ（５３７ｂ）となり、一方の突起部５３５ａ（５３５ｂ）と第１横スペーサ部５３２ａ（５３２ｂ）との間の部分は、内ヨーク５１を位置決めするための第１位置決め面５３４ａａ（５３４ｂａ）となり、更に、他方の突起部５３６ａ（５３６ｂ）と第２横スペーサ部５３３ａ（５３３ｂ）との間の部分も、内ヨーク５１を位置決めするための第２位置決め面５３４ａｂ（５３４ｂｂ）となる。一方の突起部５３５ａ（５３５ｂ）と第１横スペーサ部５３２ａ（５３２ｂ）との間隔は、内ヨーク５１の位置決め突起５１１（１５１４）の幅に対応するように設定され、他方の突起部５３６ａ（５３６ｂ）と第２横スペーサ部５３３ａ（５３３ｂ）との間隔は、内ヨーク５１の位置決め突起５１２（５１３）の幅に対応するように設定されている。
【０１０５】
なお、横バー５３０ａ（５３０ｂ）には一体的に外枠部５３１ａ（５３１ｂ）が形成されている。外枠部５３１ａ（５３１ｂ）は、後述する第１フレーム部材５４の外縁部５４２及び第２フレーム部材５５の外縁部５５２と連結して全体として矩形状の枠体を形成する。
【０１０６】
図３３に示す第１フレーム部材５４及び第２フレーム部５５は、金属または樹脂を押し出し成型することにより形成される。これら第１フレーム部材５４及び第２フレーム部材５５は、水平となる取付け部５４１、５５１から外方に広がるように立ち上がって外縁部５４２、５５２に至る形状となっている。
【０１０７】
図３２に示すボイスコイルユニット５６は、第１の実施の形態に係るスピーカ装置１０で用いたもの（図９参照）と基本的な構造は同じであって、フレキシブル基板の表面に第１ボイスコイル配線パターンの形成された第１ボイスコイル部５６１と、フレキシブル基板の表面に第２ボイスコイル配線パターンの形成された第２ボイスコイル部５６２と、第１ボイスコイル部５６１の一端部から続いて形成され、湾曲状態となって第１ボイスコイル部５６１の当該一端部を弾性支持する第１第１支持部５６３ａと、第１ボイスコイル部５６１の他端部から続いて形成され、湾曲状態となって第１ボイスコイル５６１の当該他端部を弾性支持する第２第１支持部５６３ｂと、第２ボイスコイル部５６２の一端部から続いて形成され、湾曲状態となって第２ボイスコイル部５６２の当該一端部を弾性支持する第１第２支持部５６４４ａと、第２ボイスコイル部５６２の他端部から続いて形成され、湾曲状態となって第２ボイスコイル部５６２の当該他端部を弾性支持する第２第２支持部５６４ｂとを備えた構造となっている。第１ボイスコイル部５６１の一端部を弾性支持する第１第１支持部５６３ａと第２ボイスコイル部５６２の一端部を弾性支持する第１第２支持部５６４ａとは連続的に形成されており、その境界部が断面凹字状の第１端子部５６５ａとなる。また、第１ボイスコイル部５６１の他端部を弾性支持する第２第１支持部５６３ｂと第２ボイスコイル部５６２の他端部を弾性支持する第２第２支持部５６４ｂとは連続的に形成されており、その境界部が断面凹字状の第２端子部５６５ｂとなる。
【０１０８】
図３２に示すボイスコイルユニット５６では、第１端子部５６５ａと第２端子部５６５ｂとが水平に維持され、この第１端子部５６５ａ及び第２端子部５６５ｂの一方側に続く第１第１支持部５６３ａと第２第１支持部５６３ｂとが、湾曲状態となって、表面が垂直に維持された第１ボイスコイル部５６１の両端に続いている。また、第１端子部５６５ａ及び第２端子部５６５ｂの他方側に続く第１第２支持部５６４ａと第２第２支持部５６４ｂとが、湾曲状態となって、表面が垂直に維持された第２ボイスコイル部５６２の両端に続いている。これにより、第１第１支持部５６３ａ及び第２第１支持部５６３ｂにて弾性支持される第１ボイスコイル部５６１が垂直方向に振動可能になるとともに、第１第２支持部５６４ａ及び第２第２支持部５６４ｂにて弾性支持される第２ボイスコイル部５６２が垂直方向に振動可能となる。
【０１０９】
平面状に展開された状態のボイスコイルユニット５６が図３３に示される。図３３において、第１端子部５６５ａから第１第１支持部５６３ａ、第１ボイスコイル部５６１及び第２第１支持部５６３ｂを通って第２端子部５６５ｂまで配線パターンＬ１が第１ボイスコイル配線パターン５６６として形成され、第２端子部５６５ｂから前記配線パターンＬ１に続いて第２第２支持部５６４ｂ、第２ボイスコイル部５６２及び第１第２支持部５６４ａを通って第１端子部５６５ａの前記配線パターンＬ１に戻る配線パターンＬ２が第２ボイスコイルパターン５６７として形成されている。即ち、配線パターンＬ１及び配線パターンＬ２が、第１端子部５６５ａ、第１第１支持部５６３ａ、第１ボイスコイル部５６１、第２第１支持部５６３ｂ、第２端子部５６５ｂ、第２第２支持部５６４ｂ、第２ボイスコイル部５６２、第１第２支持部５６４ａに環状に形成されている。
【０１１０】
例えば、第１端子部５６５ａまたは第２端子部５６５ｂのいずれかに１対の接続点が形成されており、第１ボイスコイル部５６１に形成された第１ボイスコイル配線パターン５６６（配線パターンＬ１）及び第２ボイスコイル部５６２に形成された第２ボイスコイル配線パターン５６７（配線パターンＬ２）に音声信号電流が流れるように、当該１対の接続点に音声信号が供給される。
【０１１１】
前述したような構造の部品（図２８〜図３２、図１０〜図１２参照）を次のようにして組み立てることにより図２６に示すスピーカ装置５０が形成される。
【０１１２】
図３４に示すように、磁石板１２に内ヨーク５１が重ねられ、次いで、図３５に示すように、磁石板１２に重ねられた内ヨーク５１が第１位置決め部材５３ａと第２位置決め部材５６ｂとによって位置決めされる。具体的には、内ヨーク５１の位置決め突起５１１が、第１位置決め部材５３ａにおける第１横スペーサ部５３２ａと縦スペーサ部５３４ａの突起部５３５ａとによって挟まれた状態で、第１横スペーサ部５３２ａの内面５３２ａａと縦スペーサ部５３４ａの第１位置決め面５３４ａａ（図３０Ａ参照）とによって位置決めされ、内ヨーク５１の位置決め突起５１２が、第１位置決め部材５３ａにおける第２横スペーサ部５３３ａと縦スペーサ部５３４ａの突起部５３６ａとによって挟まれた状態で、第２横スペーサ部５３３ａの内面５３３ａａと縦スペーサ部５３４ａの第２位置決め面５３４ａｂ（図３０Ａ参照）とによって位置決めされる。また、内ヨーク５１の位置決め突起１１３が、第２位置決め部材５３ｂにおける第２横スペーサ部５３３ｂと縦スペーサ部５３４ｂの突起部５３６ｂとによって挟まれた状態で、第２横スペーサ部５３３ｂの内面５３３ｂａと縦スペーサ部５３４ｂの第２位置決め面５３４ｂｂ（図３０Ｂ参照）とによって位置決めされ、内ヨーク５１の位置決め突起５１４が、第２位置決め部材５３ｂにおける第１横スペーサ部５３２ｂと縦スペーサ部５３４ｂの突起部５３５ｂとによって挟まれた状態で、第１横スペーサ部５３２ｂの内面５３２ｂａと縦スペーサ部５３４ｂの第１位置決め面５３４ｂａ（図３０Ｂ参照）とによって位置決めされる。
【０１１３】
このように、磁石板１２に重ねられた内ヨーク５１は、第１位置決め部材５３ａ及び第２位置決め部材５３ｂによって、横方向の位置決めがなされる。
【０１１４】
このような状態で、図３６に示すように、第１位置決め部材５３ａ及び第２位置決め部材５３ｂに断面凹字状の外ヨーク５２が嵌め込まれる。第１位置決め部材５３ａの第１横スペーサ部５３２ａの外面が外ヨーク５２の第１外ヨーク部５２１の内面に、第１位置決め部材５３ａの第２横スペーサ部５３３ａの外面が外ヨーク５２の第２外ヨーク部５２２の内面に、第１位置決め部材５３ａの縦スペーサ部５３４ａの外面が外ヨーク５２の連結部５２３の内面にそれぞれ当接するとともに、第２位置決め部材５３ｂの第１横スペーサ部５３２ｂの外面が第２外ヨーク５２２の内面に、第２位置決め部材５３ｂの第２横スペーサ部５３３ｂの外面が外ヨーク５２の第１外ヨーク部５２１の内面に、第２位置決め部材５３ｂの縦スペーサ部５３４ｂの外面が外ヨーク５２の連結部５２３の内面にそれぞれ当接する。
【０１１５】
これにより、内ヨーク５１と外ヨーク５２の連結部５３２との間に磁石板１２が挟み込まれ、それらの間隔が縦スペーサ部５３４ａ、５３４ｂの厚さ（磁石板１２の厚さに対応する）に維持される。また、内ヨーク５１の位置決め突起５１１及び位置決め突起５１３のそれぞれと第１外ヨーク部５２１の板面との間が第１位置決め部材５３ａの第１横スペーサ部５３２ａ及び第２位置決め部材５３ｂの第２横スペーサ部５３３ｂの幅に相当する間隔に保持されるとともに、内ヨーク５１の位置決め突起５１２及び位置決め突起５１４のそれぞれと第２外ヨーク部５２２の板面との間が第１位置決め部材５３ａの第２横スペーサ部５３３ａ及び第２位置決め部材５３ｂの第１横スペーサ部５３２ｂの幅に相当する間隔に保持される。その結果、図３６とともに図２７に詳細に示すように、第１外ヨーク部５２１の板面と内ヨーク５１の一方の側端面との間に磁気ギャップＧｐが形成されるとともに、第２外ヨーク部５２２の板面と内ヨーク５１の他方の側端面との間に磁気ギャップＧｐが形成される。
【０１１６】
次に、図３７とともに図２７に示すように、内ヨーク５２と連結部５２３とによって磁石板１２を挟み込んだ状態となる外ヨーク５２の第１外ヨーク部５２１の上縁端面に第１フレーム部材５４が固定されるとともに、外ヨーク５２の第２外ヨーク部５２２の上縁端面に第２フレーム部材５５が固定される。具体的には、第１外ヨーク部５２１の上縁端面に第１フレーム部材５４の取り付け部５４１が接着剤で固定され、第２外ヨーク部５２２の上縁端面に第２フレーム部材５５の取り付け部５５１が接着固定される。そして、第１フレーム部材５４の外縁部５４２の両端は、第１位置決め部材５３ａの外枠部５３１ａの一端と、第２位置決め部材５３ｂの外枠部５３１ｂの一端と係合し、第２フレーム部材５５の外縁部５５２の両端は、第１位置決め部材５３ａの外枠部５３１ａの他端と、第２位置決め部材５３ｂの外枠部５３１ｂの他端と係合する。これにより、磁石板１２、内ヨーク５１及び外ヨーク５２からなる磁気回路が第１フレーム部材５４の外縁部５４２、第２フレーム部材５５の外縁部５５、第１位置決め部材５３ａの外枠部５３１ａ、及び第２位置決め部材５３ｂの外枠部５３１ｂで形成される枠体に囲まれるようになる。
【０１１７】
次に、図３８に示すように、前述した磁気回路に対してボイスコイルユニット５６（図３２参照）がセットされる。具体的には、ボイスコイルユニット５６の第１ボイスコイル部５６１が内ヨーク５１の一方の側端面と第１外ヨーク部５２１の板面との間に形成された磁気ギャップＧｐ内に配置され、第２ボイスコイル部５６２が内ヨーク５１の他方の側端面と第２外ヨーク部５２２の板面との間に形成された磁気ギャップＧｐ内に配置される（図２７参照）。第１端子部５６５ａは、第１位置決め部材５３ａにおける縦スペーサ部５３４ａ（図３０Ａ参照）の２つの突起部５３５ａ、５３６ａ間の端子セット面５３７ａに固定され、第２端子部５６５ｂは、第２位置決め部材５３ｂにおける縦スペーサ部５３５ｂ（図３０Ｂ参照）の２つの突起部５３５ｂ、５３ｂ間の端子セット面５３７ｂに固定される。この状態で、内ヨーク５１の一方の側端面と第１外ヨーク部５２１の板面との間に形成された磁気ギャプＧｐ内に配置される第１ボイスコイル部５６１は、第１端子部５６５ａから続く第１第１支持部５６３ａと第２端子部５６５ｂから続く第２第１支持部５６３ｂとによって両端部が弾性支持され、当該磁気ギャップＧｐ内で上下振動可能となる。また、内ヨーク５１の他方の側端面と第２外ヨーク部５２２の板面との間に形成された磁気ギャプＧｐ内に配置される第２ボイスコイル部５６２は、第１端子部５６５ａから続く第１第２支持部５６４ａと第２端子部５６５ｂから続く第２第２支持部５６４ｂとによって両端部が弾性支持され、当該磁気ギャップＧｐ内で上下振動可能となる。そして、図２７に示すように、第１ボイスコイル部５６１に形成された第１ボイスコイル配線パターン５６６の配線パターンＬ１が、内ヨーク５１の一方の側端面と第１外ヨーク１４の板面との間（磁気ギャップＧｐ）に配置され、第２ボイスコイル部５６２に形成された第２ボイスコイル配線パターン５６７の配線パターンＬ２は、内ヨーク５１の他方の側端面と第２外ヨーク５５の板面との間（磁気ギャップＧｐ）に配置される。
【０１１８】
次に、図３９に示すように、ダンパー部材１９が装着される。ダンパー部材１９は、本発明の第１の実施の形態に係るスピーカ装置１０の場合と同様に、第１フレーム部材５４の外縁部５４２と第２フレーム部材５５の外縁部５５２との間に、前述した磁気回路及びボイスコイルユニット５６を覆うように設けられる。このとき、ダンパー部材１９の第１フレーム部材５４及び第２フレーム部材５５への固定も、第１フレーム部材５４の外縁部５４２に第１縦エッジ部２０ａの第１嵌合溝２０ａａをスライド嵌合させ、第２フレーム部材５５の外縁部５５２に、同様にして、第２縦エッジ部２０ｂの第２嵌合溝２０ｂａをスライド嵌合させることによりなされる（図２１参照）。
【０１１９】
また、第１ボイスコイル部５６１の先端部がダンパー本体１９０と第１支持部１９１ａとの境界部（第１嵌合溝１９２ａが形成された部位）に接着剤により固定され、第２ボイスコイル部５６２の先端部がダンパー本体１９０と第２支持部１９１ｂとの境界部（第２嵌合溝１９２ｂが形成された部位）に接着剤により固定される。これにより、ボイスコイルユニット１８全体がダンパー部材１９によって弾性支持される。
【０１２０】
次に、図４０に示すように、ダンパー部材１９に振動板２１が装着される。これも、本発明の第１の実施の形態に係るスピーカ装置１０の場合と同様に、ダンパー本体１９０と第１支持部１９１ａとの境界部に形成された第１嵌合溝１９２ａに振動板２１の第１スライド部２１１をスライド嵌合させ、また、ダンパー本体１９０と第２支持部１９１ｂとの境界部に形成された第２嵌合溝１９２ｂに、同様に、振動板２１の第２スライド部２１２をスライド嵌合させることによりなされる（図２１及び図２３参照）。そして、図２６に示すように、第１横エッジ部２２a及び第２横エッジ部２２ｂが装着されて、各部品の組み立てが終了する。これら第１横エッジ部２２ａ及び第２横エッジ部２２ｂの装着についても、本発明の第１の実施の形態に係るスピーカ装置１０の場合と同様になされる。
【０１２１】
このようにして各部品が組み立てられると、磁石板１２の着磁がなされる。磁石板１２が着磁されると、内ヨーク５１及び外ヨーク５２が磁石板１２に引き付けられて、それらは、第１位置決め部材５３ａ及び第２位置決め部材５３ｂとともに更に強固に一体化される。ただし、第１位置決め部材１６ａ及び第２位置決め部材１６ｂによって、内ヨーク５１の一方の側端面と第１外ヨーク部５２１の板面との間の磁気ギャップＧｐ及び内ヨーク５１の他方の側端面と第２外ヨーク部５２２の板面との間の磁気ギャップＧｐは精度良く維持される。
【０１２２】
なお、前述したように組み立てられる部品は、磁石板１２の着磁前に必要に応じて適宜接着剤にて接着固定してもよい。
【０１２３】
ボイスコイルユニット５６の音声信号出力回路との電気的な接続は、本発明の第１実施の形態に係るスピーカ装置１０の場合と同様に、ボイスコイルユニット５６の第１端子部５６５ａ及び第２端子部５６５ｂに嵌め込まれるカプラー端子によってなされる（図２４Ａ及び図２４Ｂ参照）。
【０１２４】
磁気回路（磁石板１２、内ヨーク５１及び外ヨーク５２）において図４１に示すように磁束が生成される。図４１において、磁石板１２のＮ極面からの磁束は、内ヨーク５１の一方の側端面から磁気ギャップＧｐを横切って外ヨーク５２の第１外ヨーク部５２１に至り、第１外ヨーク部５２１から更に連結部５２３を通って磁石板１２のＳ極面に戻る。また、磁石板１２のＮ極面からの磁束は、内ヨーク５１の他方側端面から磁気ギャップＧｐを横切って外ヨーク５２の第２外ヨーク部５２２に至り、第１外ヨーク５２２から更に連結部５２３を通って磁石板１２のＳ極面に戻る。
【０１２５】
磁気回路に図４１に示すような磁束が形成されている状態において、ボイスコイルユニット５６の第１ボイスコイル配線パターン５６６（Ｌ１）及び第２ボイスコイル配線パターン５６７（Ｌ２）に音声信号が供給される。図４１において、内ヨーク５１の一方の側端面と第１外ヨーク部５２１の板面との間に形成される磁気ギャップＧｐを横切る磁束と、内ヨーク５１の他方の側端面と第２外ヨーク部５２２の板面との間に形成される磁気ギャップＧｐを横切る磁束とでは、その方向が逆になるが、それぞれの磁気ギャップＧｐ内に配置される第１ボイスコイル配線パターン５６６（Ｌ１）と第２ボイスコイル配線パターン５６７（Ｌ２）とを流れる音声電流の向きも逆なるので、磁気ギャップＧｐ内での磁束と音声信号電流との相互作用によって、配線パターンＬ１１と配線パターンＬ１２とに同じ方向の力が働き、第１ボイスコイル配線パターン５６６（Ｌ１）の形成された第１ボイスコイル部５６１と、第２ボイスコイル配線パターン５６７の形成された第２ボイスコイル部５６２と、音声信号に応じて同様に上下方向Ｄｖに振動する。
【０１２６】
このような音声信号に応じた第１ボイスコイル部５６１及び第２ボイスコイル部５６２の上下方向の振動により、それらボイスコイル部５６１、５６２に連結する振動板２１が前記音声信号に応じて振動する。その結果、音声信号に応じた音が出力される。
【０１２７】
前述したような第２の実施の形態に係るスピーカ装置５０では、磁気回路は、第１位置決め部材５３ａ及び第２位置決め部材５３ｂによって内ヨーク５１及び外ヨーク５２が磁気ギャップＧｐが形成されるように位置決めされた状態で、磁石板１２、内ヨーク５１及び外ヨーク５２が合体された構造となるので、当該磁気回路が第１位置決め部材５３ａ及び第２位置決め部材５３ｂによって作業性良く組み立てることができる。更に、第１位置決め部材５３ａ及び第２位置決め部材５３ｂに、他の部品、具体的には、ボイスコイルユニット５６、及び第１横エッジ部２２ａ、第２横エッジ部２２ｂも組み付けられる構造となっているので、更に組立作業性が良いものとなる。
【０１２８】
また、第１位置決め部材５３ａ及び第２位置決め部材５３ｂによって内ヨーク５１及び外ヨーク５２が位置決めされているので、内ヨーク５１及び外ヨーク５２の接着剤による位置固定力を緩和しても位置ずれを防止することができる。その結果、磁気回路（磁石板１２、内ヨーク５１及び外ヨーク５２）の分解が容易となり、磁気回路の各部品の個別的なリサイクルが比較的容易なものとなる。
【産業上の利用可能性】
【０１２９】
以上、説明したように、本発明に係るスピーカ装置は、磁気回路が、作業性良く組み立てられるとともに各部品の個別的なリサイクルが比較的容易な構造となるという効果を有し、磁気回路にて発生する磁界とボイスコイルを流れる音声信号電流との相互作用によってボイスコイルに連結される振動板を振動させて音を出力するスピーカ装置として有用である。
【符号の説明】
【０１３０】
１０  スピーカ装置
１１  第１内ヨーク
１２  第２内ヨーク
１３  磁石
１４  第１外ヨーク
１５  第２外ヨーク
１６ａ  第１位置決め部材
１６ｂ  第２位置決め部材
１７  フレーム部材
１８  ボイスコイルユニット
１９  ダンパー部材
２０ａ  第１縦エッジ部
２０ｂ  第２縦エッジ部
２１  振動板
２２ａ  第１横エッジ部
２２ｂ  第２横エッジ部
３０  カプラー端子
３１  リード線
５０  スピーカ装置
５１  内ヨーク
５２  外ヨーク
５３ａ  第１位置決め部材
５３ｂ  第２位置決め部材
５４  第１フレーム部材
５５  第２フレーム部材
５６  ボイスコイルユニット
【図１】
0005392841.tif 000002
【図２】
0005392841.tif 000003
【図３】
0005392841.tif 000004
【図４】
0005392841.tif 000005
【図５】
0005392841.tif 000006
【図６Ａ】
0005392841.tif 000007
【図６Ｂ】
0005392841.tif 000008
【図７】
0005392841.tif 000009
【図８】
0005392841.tif 000010
【図９】
0005392841.tif 000011
【図１０】
0005392841.tif 000012
【図１１】
0005392841.tif 000013
【図１２】
0005392841.tif 000014
【図１３Ａ】
0005392841.tif 000015
【図１３Ｂ】
0005392841.tif 000016
【図１４】
0005392841.tif 000017
【図１５】
0005392841.tif 000018
【図１６】
0005392841.tif 000019
【図１７】
0005392841.tif 000020
【図１８】
0005392841.tif 000021
【図１９】
0005392841.tif 000022
【図２０】
0005392841.tif 000023
【図２１】
0005392841.tif 000024
【図２２】
0005392841.tif 000025
【図２３】
0005392841.tif 000026
【図２４Ａ】
0005392841.tif 000027
【図２４Ｂ】
0005392841.tif 000028
【図２５】
0005392841.tif 000029
【図２６】
0005392841.tif 000030
【図２７】
0005392841.tif 000031
【図２８】
0005392841.tif 000032
【図２９】
0005392841.tif 000033
【図３０Ａ】
0005392841.tif 000034
【図３０Ｂ】
0005392841.tif 000035
【図３１】
0005392841.tif 000036
【図３２】
0005392841.tif 000037
【図３３】
0005392841.tif 000038
【図３４】
0005392841.tif 000039
【図３５】
0005392841.tif 000040
【図３６】
0005392841.tif 000041
【図３７】
0005392841.tif 000042
【図３８】
0005392841.tif 000043
【図３９】
0005392841.tif 000044
【図４０】
0005392841.tif 000045
【図４１】
0005392841.tif 000046